(57)【要約】抗菌性活性物質及びアミンを用いて組成物を配合することによって、抗菌剤の濃度が低くても、良好な抗菌効果を提供し、同時に表面光沢を改善する抗菌性硬質表面洗浄組成物の必要性が満たされる。【特許請求の範囲】
【請求項１】
抗菌性の硬質表面洗浄組成物であって、
ａ．前記組成物の０．００１重量％〜２重量％未満のカチオン性抗菌剤と、
ｂ．前記組成物の０．１重量％〜１５重量％の、式Ｉ：
Ｒ１−Ｎ−（Ｒ２）（ＣＨ２ＣＨＯＨ（ＣＨ２Ｏ）ｎＲ３）  式Ｉ
（式中、Ｒ１及びＲ２は、独立して、水素、環式又は非環式、直鎖又は分枝鎖の炭素数１〜１０のアルキル、炭素数１〜１０のヒドロキシアルキル、ポリヒドロキシヒドロカルビル及び、式（Ｒ４−Ｏ）ｘＨ（式中、Ｒ４は炭素数１〜４個の炭素原子であり、ｘは１〜１５であり、好ましくはｘは１〜５であり、より好ましくはｘは１である）のポリアルコキシから選択され、ｎは０又は１、好ましくは１であり、Ｒ３は、炭素数６〜３０のヒドロカルビルである）
のアミンから選択されるアミン界面活性剤と、
を含む、硬質表面洗浄組成物。
【請求項２】
前記カチオン性抗菌剤が第四級アンモニウム化合物である、請求項１に記載の硬質表面洗浄組成物。
【請求項３】
前記第四級アンモニウム化合物が、ジデシルジメチルアンモニウムクロリド、アルキルジメチルベンジルアンモニウムクロリド、アルキルジメチルエチルベンジルアンモニウムクロリド及びこれらの混合物からなる群から選択される、請求項２に記載の硬質表面洗浄組成物。
【請求項４】
前記抗菌剤が、前記組成物の０．００５重量％〜１．８重量％、好ましくは０．００８重量％〜０．９重量％、好ましくは０．０１重量％〜０．５重量％、好ましくは０．０５重量％〜０．２０重量％の濃度で存在する、請求項１〜３のいずれか一項に記載の硬質表面洗浄組成物。
【請求項５】
式Ｉのアミンから選択される前記アミン界面活性剤において、Ｒ１は、糖、好ましくは単糖類、二糖類、より好ましくは単糖類からなる群から選択される糖から誘導されるポリヒドロキシヒドロカルビルである、請求項１〜４のいずれか一項に記載の硬質表面洗浄組成物。
【請求項６】
Ｒ１が、ポリヒドロキシヒドロカルビル、好ましくは単糖類、より好ましくはグルコースから誘導され、且つ式：
−ＣＨ２（ＣＨＯＨ）４  ＣＨ２ＯＨ  式ＩＩ
を有するポリヒドロキシヒドロカルビルである、請求項５に記載の硬質表面洗浄組成物。
【請求項７】
Ｒ２が、水素及び炭素数１〜１０のアルキル、好ましくは、水素又は１〜５個、より好ましくは、１〜４個の炭素原子、更に好ましくは、１〜２個の炭素原子を含むアルキル基、最も好ましくは水素又はメチルからなる群から選択される、請求項１〜６のいずれか一項に記載の硬質表面洗浄組成物。
【請求項８】
Ｒ３が、炭素数６〜１０のアルキル及びこれらの混合物からなる群から選択され、好ましくは、Ｒ３はヘキシル、オクチル、デシル及びこれらの混合物からなる群から選択され、より好ましくは、Ｒ３はデシルであり、最も好ましくは、Ｒ３は２−プロピルヘプチルである、請求項１〜７のいずれか一項に記載の硬質表面洗浄組成物。
【請求項９】
前記組成物が、更なる界面活性剤、好ましくは非イオン性界面活性剤を更に含む、請求項１〜８のいずれか一項に記載の硬質表面洗浄組成物。
【請求項１０】
前記更なる界面活性剤が、アルコキシル化非イオン性界面活性剤、アルキルポリグリコシド、アミンオキシド及びこれらの混合物からなる群から選択される非イオン性界面活性剤である、請求項９に記載の硬質表面洗浄組成物。
【請求項１１】
前記組成物が、該組成物の０．００５重量％〜９．５重量％、好ましくは０．０１重量％〜２．０重量％、より好ましくは０．０５重量％〜１．０重量％の濃度の更なる界面活性剤を含む、請求項９又は１０に記載の硬質表面洗浄組成物。
【請求項１２】
式Ｉのアミンに対する更なる非イオン性界面活性剤の比が１：１０〜１０：１である、請求項９〜１１のいずれか一項に記載の硬質表面洗浄組成物。
【請求項１３】
前記組成物が、６．０〜１３、好ましくは６．０〜１１．５、より好ましくは７．０〜１０．０のｐＨを有する、請求項１〜１２のいずれか一項に記載の硬質表面洗浄組成物。
【請求項１４】
硬質表面を洗浄する方法であって、
ａ．請求項１〜１３のいずれか一項に記載の硬質表面洗浄組成物を任意に希釈する工程と、
ｂ．請求項１〜１３のいずれか一項に記載の硬質表面洗浄組成物を硬質表面に塗布する工程と、
を含む、方法。
【請求項１５】
式：
Ｒ１−Ｎ−（Ｒ２）（ＣＨ２ＣＨＯＨ（ＣＨ２Ｏ）ｎＲ３）
（式中、Ｒ１及びＲ２は、独立して、水素、環式又は非環式、直鎖又は分枝鎖の炭素数１〜１０のアルキル、炭素数１〜１０のヒドロキシアルキル、ポリヒドロキシヒドロカルビル及び、式（Ｒ４−Ｏ）ｘＨ（式中、Ｒ４は炭素数１〜４個の炭素原子であり、ｘは１〜１５であり、好ましくはｘは１〜５であり、より好ましくはｘは１である）のポリアルコキシから選択され、ｎは０又は１、好ましくは１であり、Ｒ３は、炭素数６〜３０のヒドロカルビルである）
のアミンの、抗菌性組成物中の抗菌剤の有効性、好ましくは抗菌剤のグラム陰性細菌に対する有効性、より好ましくは６．０〜１０、又は７．０〜９．０、又は７．０〜８．０のｐＨを有する抗菌性組成物中の抗菌剤の有効性を改善するための使用。
【発明の詳細な説明】
【技術分野】
【０００１】
抗菌性活性物質とアミンとを含む抗菌性硬質表面洗浄組成物が、抗菌効果を改善し、処理表面の目に見える残留物又は筋をより少なくする。
【背景技術】
【０００２】
硬質表面洗浄組成物は、硬質表面を洗浄及び処理するために使用される。好ましくは、硬質表面洗浄組成物は、「汎用」硬質表面洗浄組成物となるように配合される。すなわち、硬質表面洗浄組成物は、できるだけ多くの異なる種類の表面を洗浄するのに好適であるように配合される。
【０００３】
キッチン、トイレ、バスルーム、小さな幼児が接触する可能性のある表面など、高レベルの衛生が望まれる表面を処理するには、硬質表面洗浄組成物が第四級アンモニウム化合物などの抗菌剤を含むことが望ましい。しかしながら、抗菌剤は通常、組成物中に存在する洗浄界面活性剤と混合ミセルを形成する。その結果、組成物の抗菌効果が低下するか、又はより高い濃度の抗菌活性物質が存在しなければならない。
【０００４】
更に、抗菌活性物質は、目に見える残留物として表面に堆積しやすく、処理された表面が十分に洗浄されていないという印象をユーザに与える。これは、表面が縞状に見え、光沢がよくないためである。更に、処理された表面は、僅かにべたつきを感じる場合があり、これがユーザに洗浄不良の印象を更に与える。
【０００５】
加えて、抗菌性第四級アンモニウム化合物を含む抗菌性硬質表面洗浄組成物は、多くの場合、緑膿菌又は大腸菌などのグラム陰性細菌に対する有効性を最大化するために、高ｐＨ（１０．５−１１．５）で配合される。これは、第四級アンモニウム化合物のこれらの種類の細菌に対する有効性が黄色ブドウ球菌などのグラム陽性細菌に対する有効性よりも低いためである。この結果、抗菌性硬質表面洗浄組成物は、全ての表面タイプ、特に、木材、石英及び、花崗岩又は大理石などの天然石のような繊細な表面上での使用には適さないものとなっている。
【０００６】
したがって、抗菌剤の濃度が低くても、繊細な表面を含む全ての表面タイプに対して良好な抗菌効果を提供し、同時に表面光沢を改善する抗菌性硬質表面洗浄組成物が必要とされている。
【０００７】
欧州特許出願第１６１８４４１５．４号は、界面活性剤系と、式：Ｒ１−Ｎ−（Ｒ２）（ＣＨ２ＣＨＯＨ（ＣＨ２Ｏ）ｎＲ３）（式中、Ｒ１及びＲ２は、独立して、水素、環式又は非環式、直鎖又は分枝鎖の炭素数１〜１０のアルキル、炭素数１〜１０のヒドロキシアルキル、ポリヒドロキシヒドロカルビル及び、式（Ｒ４−Ｏ）ｘＨ（式中、Ｒ４は炭素数１〜４の炭素原子であり、ｘは１〜１５である）のポリアルコキシから選択され、ｎは０又は１、好ましくは１であり、Ｒ３は炭素数６〜３０のヒドロカルビルである）のアミンと、を含む食器手洗い用洗浄組成物に関する。
【０００８】
国際公開第２０１５１２０９９０号は、硬質表面を洗浄するためのｐＨ値＜６の組成物におけるＮ−メチル−Ｎ−アシルグルカミンの使用であって、それぞれ、グルカミンの総量に対して、Ｃ８〜Ｃ１４アシル基を有するグルカミンの割合が少なくとも８０重量％であり、Ｃ８〜Ｃ１０アシル基を有するグルカミンの割合が５０重量％を超える使用に関する。欧州特許第３０７７４９３号は、少なくとも１つのＮ−アルキル−Ｎ−アシルグルカミン、少なくとも１つの脂肪酸及び／又は石鹸、少なくとも１つのイセチオン酸アシル、イセチオン酸ナトリウム並びに、Ｎ−アルキル−Ｎ−アシルグルカミンの２０重量％超、好ましくは７０重量％超の水を含む組成物であって、少なくとも１つのＣ１２及び／又はＣ１４及び／又はＣ１６及び／又はＣ１８のアシル基を含有し、固形石鹸として有用である組成物に関する。欧州特許第２８５５６５０号は、少なくとも１つのアニオン性界面活性剤、ベタイン界面活性剤、Ｎ−メチル−Ｎ−アシルグルカミン、トリグリセリド油、溶媒及び任意選択的に添加剤を含有する透明な組成物、かかる組成物の製造方法並びに、皮膚若しくは毛髪の処理若しくはケアのための、又はシャンプー、フェイスクリーナ、液体クリーナ若しくはシャワーゲルとしてのかかる組成物の使用に関する。欧州特許第２８５５６５１号は、少なくとも１つのアニオン性界面活性剤、ベタイン界面活性剤、そのアシル基が天然ココナッツ油及び／又はパーム核油のアシル基に対応するＮ−メチル−Ｎ−アシルグルカミンの混合物、グリセロール誘導体、溶媒及び任意に１つ以上の添加剤を含有する組成物、かかる組成物の製造方法並びに、皮膚若しくは毛髪の処理若しくはケアのための、例えばシャンプー、フェイスクリーナ、液体クリーナ又はシャワーゲルとしてのかかる組成物の使用に関する。欧州特許第２８５５６４９号は、少なくとも１つのアニオン性界面活性剤、Ｎ−メチル−Ｎ−アシルグルカミン、溶媒及び任意選択的に１つ以上の添加剤を含有する界面活性剤濃縮物、かかる界面活性剤濃縮物の製造方法並びに、化粧用組成物、皮膚用組成物又は医薬組成物の製造方法に関する。欧州特許第２８６６８９５号は、Ｎ−メチル−Ｎ−オレイルグルカミン、Ｎ−メチル−Ｎ−Ｃ１２〜Ｃ１４−アシルグルカミン、他のＮ−メチル−Ｎ−アシルグルカミン、１つ以上のアルコール、水及び添加剤の混合物を含有する界面活性剤溶液に関する。欧州特許第２８５５６４７号は、１つ以上のＮ−メチル−Ｎ−アシルグルカミン、少なくとも８０重量％の飽和又は不飽和のＣ１６、Ｃ１７及び／又はＣ１８アシル基を有するＮ−メチル−Ｎ−アシルグルカミン、１つ以上の脂肪族アルコール、１つ以上のカチオン性界面活性剤、任意選択的に他の添加剤及び水を含有する組成物であって、特にヘアケア製品で使用するための、化粧用エマルション、皮膚用エマルション及び医薬エマルションの製造に好適な組成物に関する。欧州特許第２８５４９５１号は、少なくとも１つのＮ−アシル−アミノ酸界面活性剤、ベタイン界面活性剤、Ｎ−メチル−Ｎ−アシルグルカミンであって、Ｃ１６〜Ｃ２０アシル基を含有するＮ−メチル−Ｎ−アシルグルカミン及び更に溶媒を含有する組成物、かかる組成物の製造方法並びに、皮膚若しくは毛髪の処置若しくはケアのための、又はシャンプー、フェイスクリーナ、液体クリーナ若しくはシャワーゲルとしてのかかる組成物の使用に関する。欧州特許第３０１３４２９号は、少なくとも１つのアニオン性界面活性剤を含有する水性界面活性剤系を含む、皮膚洗浄剤及び食器手洗い剤中の成分として好適な特定のＮ−アルキル−Ｎ−アシルグルカミンに関する。欧州特許第３１１４２５５号は、７〜２１個の炭素原子を有する直鎖又は分枝鎖の飽和又は不飽和炭化水素鎖を有する少なくとも１つのＮ−メチル−Ｎ−アシルグルカミン、５〜２９個の炭素原子を有する直鎖又は分枝鎖のアルキル基又は直鎖又は分枝鎖のモノ又はポリ不飽和アルケニル基を有する１つ以上の有機酸及び、少なくとも１つがヒドロキシアルキル基又はヒドロキシエーテル基を有する１つ以上のアルカノールアミンを含有する組成物に関する。欧州特許第２８５４７５１号は、化粧用調製物中の可溶化剤としてのＮ−メチル−Ｎ−Ｃ８〜Ｃ１４−アシルグルカミンの使用及び、湿式拭き取り布の調製のための透明なローションであって、Ｎ−メチル−Ｎ−Ｃ８〜Ｃ１４−アシルグルカミン、１つ以上の非水溶性又は部分的水溶性の抗菌剤、１つ以上の油、水、界面活性剤及び、任意選択的に更なる補助剤及び添加剤を含有するローションに関する。欧州特許第３０１３４２７号は、少なくとも１つのアニオン性界面活性剤を含む水性界面活性剤系を含有する洗髪剤中でヘアコンディショニング効果を発揮するＮ−アルキル−Ｎ−アシルグルカミンに関する。国際公開第９６／２８４５８号は、グラム陰性細菌、グラム陽性芽胞形成細菌、糸状菌又は酵母を処理するために使用される、糖アミンを含有する界面活性剤組成物に関する。国際公開第９９／１９４３２号は、８〜２０個の炭素原子及び１〜８個のアルコキシル化単位を有する０．０１〜１５重量％のアルコキシル化脂肪族アミンを使用して、０．０１〜１５重量％のスルファミン酸を含む酸性抗菌性組成物の抗菌有効性を改善することに関する。
【先行技術文献】
【特許文献】
【０００９】
【特許文献１】欧州特許出願第１６１８４４１５．４号
【特許文献２】国際公開第２０１５１２０９９０号
【特許文献３】欧州特許第３０７７４９３号
【特許文献４】欧州特許第２８５５６５０号
【特許文献５】欧州特許第２８５５６５１号
【特許文献６】欧州特許第２８５５６４９号
【特許文献７】欧州特許第２８６６８９５号
【特許文献８】欧州特許第２８５５６４７号
【特許文献９】欧州特許第２８５４９５１号
【特許文献１０】欧州特許第３０１３４２９号
【特許文献１１】欧州特許第３１１４２５５号
【特許文献１２】欧州特許第２８５４７５１号
【特許文献１３】欧州特許第３０１３４２７号
【特許文献１４】国際公開第９６／２８４５８号
【特許文献１５】国際公開第９９／１９４３２号
【発明の概要】
【課題を解決するための手段】
【００１０】
本発明は、抗菌剤と、式Ｉ：
Ｒ１−Ｎ−（Ｒ２）（ＣＨ２ＣＨＯＨ（ＣＨ２Ｏ）ｎＲ３）  式Ｉ
（式中、Ｒ１及びＲ２は、独立して、水素、環式又は非環式、直鎖又は分枝鎖の炭素数１〜１０のアルキル、炭素数１〜１０のヒドロキシアルキル、ポリヒドロキシヒドロカルビル及び、式（Ｒ４−Ｏ）ｘＨ（式中、Ｒ４は炭素数１〜４の炭素原子であり、ｘは１〜１５である）のポリアルコキシから選択され、ｎは０又は１、好ましくは１であり、Ｒ３は炭素数６〜３０のヒドロカルビルである）のアミンと、を含む抗菌性硬質表面洗浄組成物に関する。
【００１１】
本発明は更に、抗菌性組成物の抗菌効果を改善するためのアミンの使用及び、そのような組成物の使用方法に関する。
【発明を実施するための形態】
【００１２】
抗菌剤と、式：Ｒ１−Ｎ−（Ｒ２）（ＣＨ２ＣＨＯＨ（ＣＨ２Ｏ）ｎＲ３）（式中、Ｒ１及びＲ２は、独立して、水素、環式又は非環式、直鎖又は分枝鎖の炭素数１〜１０のアルキル、炭素数１〜１０のヒドロキシアルキル、ポリヒドロキシヒドロカルビル及び、式（Ｒ４−Ｏ）ｘＨ（式中、Ｒ４は炭素数１〜４の炭素原子であり、ｘは１〜１５である）のポリアルコキシから選択され、ｎは０又は１、好ましくは１であり、Ｒ３は炭素数６〜３０のヒドロカルビルである）のアミンとを含む本発明の硬質表面洗浄組成物は、抗菌効果を改善すると同時に光沢を改善する抗菌性組成物をもたらす。
【００１３】
本明細書で定義するとき、ある成分を「本質的に含まない」とは、その成分が、対応するプレミックス又は組成物に故意に全く取り込まれないことを意味する。好ましくは、ある成分が「本質的に含まれない」とは、その成分が、対応するプレミックス又は組成物中に全く存在しないことを意味する。
【００１４】
本明細書で定義するとき、「安定した」とは、少なくとも約２週間、又は少なくとも４週間、又は約１ヶ月超、又は４ヶ月超の期間、２５℃に維持されたプレミックスに対して、可視的な相分離が観測されないことを意味する。
【００１５】
本明細書で用いる百分率、比率、及び割合は全て、特に断らない限りは組成物の重量％である。全ての平均値は、別段の明示的な指示がない限り、組成物の「重量に対し」計算される。別段の定めがない限り、全ての比率は重量／重量レベルとして計算される。
【００１６】
全ての測定は、別段に明記しない限り、２５℃で実施される。
【００１７】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００１８】
抗菌性硬質表面洗浄組成物
「硬質表面洗浄組成物」とは、本明細書では、特に家庭においてみられる硬質表面を洗浄するための組成物を意味する。洗浄される表面としては、セラミック、ビニル、無ワックスビニル、リノリウム、メラミン、ガラス、鋼、キッチン調理台、任意のプラスチック、プラスチック化木材、金属又は任意の塗装若しくはワニス仕上げ若しくは封止処理された表面等のような異なる材料からできている、キッチン及び浴室、例えば床、壁、タイル、窓、食器棚、流し、シャワー、シャワープラスチック化カーテン、洗面台、トイレ、什器及び付属品が挙げられる。家庭の硬質表面はまた、家庭用電化製品を含み、その例としては、冷蔵庫、冷凍庫、洗濯機、自動式乾燥機、オーブン、電子レンジ、食洗機などが挙げられるが、これらに限られない。かかる硬質表面は、個人の家庭において、また商用環境、企業環境、及び工業環境においても見出され得る。硬質表面洗浄組成物は、好ましくは、液体硬質表面洗浄組成物である。
【００１９】
好ましい一実施形態では、本明細書の液体組成物は、水を少なくとも１０重量％含有する水性組成物である。したがって、当該液体組成物は、全組成物の３０重量％〜９９．５重量％、好ましくは５０重量％〜９８重量％、より好ましくは８０重量％〜９７重量％の水を含み得る。
【００２０】
本発明の組成物は、好ましくは、円錐角２°及び切頭部±６０μｍの４０ｍｍ円錐スピンドルを有する剪断速度１０ｓ−１のＡｔｌａｓ（登録商標）製ＡＤ１０００  Ａｄｖａｎｃｅｄレオメータを使用して２０℃で測定したとき、１ｍＰａ．ｓ〜２０Ｐａ．ｓの粘度を有して非増粘性又は水様であってもよいが、５０Ｐａ．ｓ〜１２００Ｐａ．ｓ、より好ましくは１００Ｐａ．ｓ〜８００Ｐａ．ｓ、最も好ましくは２００Ｐａ．ｓ〜６００Ｐａ．ｓの粘度を有して増粘性であってもよい。
【００２１】
特に油汚れ及び粒子状の油汚れに対する洗浄性を改善するためには、組成物のｐＨは、好ましくは７．０超、より好ましくは９．５超である。改善された洗浄性に加えて改善された抗菌効果を得るためには、ｐＨは、更により好ましくは１０超、最も好ましくは１１超である。表面安全性を改善するためには、ｐＨは、好ましくは１３未満、より好ましくは１２未満、最も好ましくは１１．５未満である。したがって、本明細書の組成物は、適宜ｐＨを調整するために酸又は塩基を更に含んでもよい。
【００２２】
本明細書における使用に好適な酸は、有機及び／又は無機酸である。本明細書における使用に好ましい有機酸は、６未満のｐＫａを有する。好適な有機酸は、クエン酸、乳酸、グリコール酸、コハク酸、グルタル酸及びアジピン酸、並びにこれらの混合物からなる群から選択される。好適な無機酸は、塩酸、硫酸、リン酸及びこれらの混合物からなる群から選択することができる。
【００２３】
存在する場合、このような酸の典型的な濃度は、全組成物の０．００１重量％〜５．０重量％、好ましくは０．００２重量％〜３．０重量％、より好ましくは０．００５重量％〜１．５重量％である。
【００２４】
本明細書において使用される好適な塩基は、有機及び／又は無機塩基である。本明細書における使用に好適な塩基は、水酸化ナトリウム、水酸化カリウム、及び／若しくは水酸化リチウムのような苛性アルカリ、並びに／又は酸化ナトリウム、及び／若しくは酸化カリウムのようなアルカリ金属酸化物、あるいはそれらの混合物である。好ましい塩基は苛性アルカリであり、より好ましくは、水酸化ナトリウム及び／又は水酸化カリウムである。
【００２５】
その他の好適な塩基としては、アンモニア、アンモニウムカーボネート、Ｋ２ＣＯ３、Ｎａ２ＣＯ３、アルカノールアミン（モノエタノールアミン、トリエタノールアミン、アミノメチルプロパノール及びこれらの混合物など）、含窒素緩衝剤並びにこれらの混合物が挙げられる。好適な含窒素緩衝剤としては、アンモニウム又はアルカリ土類カルバメート、グアニジン誘導体、炭酸アンモニウム、重炭酸アンモニウム、炭酸アンモニウム、水酸化アンモニウム、アンモニア（水に添加すると水酸化アンモニウムをｉｎ  ｓｉｔｕで形成する）、及びこれらの混合物が挙げられる。
【００２６】
存在する場合、このような塩基の典型的な濃度は、全組成物の０．０１重量％〜５．０重量％、好ましくは０．０５重量％〜３．０重量％、より好ましくは０．１重量％〜２．０重量％である。
【００２７】
界面活性剤の総量は、当該組成物の０．２重量％〜２０重量％、より好ましくは０．３重量％〜１５重量％、最も好ましくは０．５重量％〜１２重量％である。
【００２８】
カチオン性抗菌剤：
好適な抗菌剤は、第四級アンモニウム化合物などのカチオン性抗菌剤である。好ましい第四級アンモニウム化合物は、以下の式で表される：
【００２９】
【化１】
2020531611.tif 000002
式中、Ｒ１、Ｒ２、Ｒ３及びＲ４の少なくとも１つは、炭素原子６〜２６個の疎水性、脂肪族、アリール脂肪族又は脂肪族アリール基であり、分子のカチオン部分全体の分子量は少なくとも１６５である。疎水性基は、長鎖アルキル、長鎖アルコキシアリール、長鎖アルキルアリール、ハロゲン置換長鎖アルキルアリール、長鎖アルキルフェノキシアルキル、アリールアルキルなどであってもよい。疎水性基以外の窒素原子上の残りの基は、通常１２個以下の炭素原子を含有する炭化水素構造の置換基である。基Ｒ１、Ｒ２、Ｒ３及びＲ４は、直鎖であっても、又は分枝鎖であってもよいが、好ましくは直鎖であり、１つ以上のアミド結合又はエステル結合を含んでもよい。基Ｘは、任意の塩形成アニオン基であってもよく、好ましくは、第四級アンモニウム殺菌剤の水への可溶化を介助する。Ｘは、例えば塩化物、臭化物又はヨウ化物などのハロゲン化物であってもよいが、Ｘはメトサルフェート対イオンであってもよく、又はＸは炭酸イオンであってもよい。
【００３０】
例示的な第四級アンモニウム化合物としては、臭化セチルトリメチルアンモニウムなどのアルキルアンモニウムハライド、臭化オクタデシルジメチルベンジルアンモニウムブロミドなどのアルキルアリールアンモニウムハライド、Ｎ−セチルピリジニウムブロミドなどのＮ−アルキルピリジニウムハライドなどが挙げられる。他の好適な種類の第四級アンモニウム化合物としては、分子が、オクチルフェノキシエトキシエチルジメチルベンジルアンモニウムクロリド、Ｎ−（ラウリルココアミノホルミルメチル）−ピリジニウムクロリドなどのアミド結合又はエステル結合のいずれかを含有するものが挙げられる。殺菌剤として有用な他の非常に有効な種類の第四級アンモニウム化合物としては、疎水性基が、ラウリルフェニルトリメチルアンモニウムクロリド、セチルアミノフェニルトリメチルアンモニウムメトサルフェート、ドデシルフェニルトリメチルアンモニウムメトサルフェート、ドデシルベンジルトリメチルアンモニウムクロリド、塩素化ドデシルベンジルトリメチルアンモニウムクロリドなどの場合のように、置換された芳香族核によって特徴付けられるものが挙げられる。
【００３１】
本発明の組成物に使用されるより好ましい第四級アンモニウム化合物としては、構造式：
【００３２】
【化２】
2020531611.tif 000003
（式中、Ｒ２’及びＲ３’は同じであっても異なっていてもよく、炭素数８〜１２のアルキルから選択され、又はＲ２’は炭素数１２〜１６のアルキル、炭素数８〜１８のアルキルエトキシ、炭素数８〜１８のアルキルフェノートエトキシであり、Ｒ３’はベンジルであり、Ｘは、例えば塩化物、臭化物又はヨウ化物などのハロゲン化物であるか、又はＸはメトサルフェート対イオンである）を有するものが挙げられる。Ｒ２’及びＲ３’で表されるアルキル基は、直鎖又は分枝鎖であってもよいが、好ましくは実質的に直鎖であるか、又は完全に直鎖である。
【００３３】
特に有用な第四級殺菌剤としては、商標名ＢＡＲＤＡＣ、ＢＡＲＱＵＡＴ、ＢＴＣ及びＨＹＡＭＩＮＥで現在市販されている組成物が挙げられる。これらの第四級アンモニウム化合物は、通常、炭素数２〜６のアルコール（エタノール、ｎ−プロパノール、イソプロパノール、ｎ−ブタノール、ｓｅｃ−ブタノールなど）、エチレングリコールなどのグリコールなどの溶媒中で、又は、水、これらのようなアルコール及びこれらのようなグリコールを含有する混合物中で提供される。特に好ましいのは、例えばＬｏｎｚａからＢａｒｄａｃ  ２２５０（商標）、Ｂａｒｄａｃ  ２２７０（商標）、Ｂａｒｄａｃ  ２２７０Ｅ（商標）、Ｂａｒｄａｃ  ２２８０（商標）などの商品名で販売されているジデシルジメチルアンモニウムクロリド、及び／又は、例えばＬｏｎｚａから商品名Ｂａｒｑｕａｔ  ４２８０Ｚ（商標）で販売されている、好ましくは炭素数１２〜の１８アルキルであるジメチルベンジルアンモニウムクロリドと、好ましくは炭素数１２〜の１８アルキルであるジメチルエチルベンジルアンモニウムクロリドとの混合物である。好ましい実施形態では、アルキルジメチルベンジルアンモニウムクロリド及びアルキルジメチルエチルベンジルアンモニウムクロリドは、２０：８０〜８０：２０又は４０：６０〜６０：４０の比で存在し、５０：５０の比が最も好ましい。
【００３４】
他の適切であるがあまり好ましくない抗菌剤としては、殺菌性アミン、特に、ＬＯＮＺＡ−ＢＡＣ  １２（例えば、Ｌｏｎｚａ，Ｉｎｃ．（Ｆａｉｒｌａｗｎ，ＮＪ）及び／又はＳｔｅｐａｎ  Ｃｏ．（Ｎｏｒｔｈｆｉｅｌｄ  ＩＬ）、並びに他の販売元から販売）などの殺菌性トリアミンが挙げられる。
【００３５】
本発明による洗浄組成物では、抗菌剤、好ましくは第四級アンモニウム化合物は、洗浄組成物により処理されることが求められる選択された細菌に対して満足のいく殺菌活性を発揮するのに有効な量で存在することが必要である。このような有効性は、耐性の低い細菌株に対しては、存在する第四級アンモニウム化合物が比較的少量であっても達成可能であるが、より耐性の高い細菌株に対しては、これらのより耐性の高い株を破壊するために、より多量の第四級アンモニウム化合物が必要となる。
【００３６】
抗菌剤は、組成物の０．００１重量％〜２重量％未満の殺菌有効量でのみ存在する必要がある。より好ましい組成物では、硬質表面洗浄組成物は、組成物の０．００５重量％〜１．８重量％、又は０．００８重量％〜０．９重量％、又は０．０１重量％〜０．５重量％、又は０．０５重量％〜０．２０重量％の濃度で抗菌剤を含む。本発明の組成物で使用されるアミンは、抗菌剤の有効性を改善するので、より少ない抗菌剤で所望の抗菌効果が得られる。処理された表面上に抗菌剤が存在すると、表面の曇りが増加するため、本発明の組成物で使用されるアミンは、光沢を改善する一方で、抗菌効果を維持するか又は更に改善する。
【００３７】
殺菌有効量の抗菌剤は、典型的には、ＥＮ１２７６（化学消毒剤殺菌活性試験）の方法を使用して、５分間で黄色ブドウ球菌を少なくとも４ｌｏｇ、好ましくは少なくとも５ｌｏｇ減少させる。
【００３８】
アミン
本発明の組成物は、式（Ｉ）：
Ｒ１−Ｎ−（Ｒ２）（ＣＨ２ＣＨＯＨ（ＣＨ２Ｏ）ｎＲ３）  式（Ｉ）
に従うアミン化合物であって、
式中、
Ｒ１及びＲ２は、独立して、水素、環式又は非環式、直鎖又は分枝鎖の炭素数１〜１０のアルキル、炭素数１〜１０のヒドロキシアルキル、ポリヒドロキシヒドロカルビル及び、式（Ｒ４−Ｏ）ｘＨ（式中、Ｒ４は炭素数１〜４の炭素原子であり、ｘは１〜１５であり、好ましくはｘは１〜５であり、より好ましくはｘは１である）のポリアルコキシから選択され、
ｎは０又は１、好ましくは１であり、
Ｒ３は、炭素数６〜３０のヒドロカルビル、好ましくは炭素数６〜３０のアルキル、ヒドロキシアルキル、アルコキシアルキル、シクロアルキル、アラルキル又はアルケニルであるアミン化合物から選択されるアミン界面活性剤を含む。
【００３９】
「ポリヒドロキシヒドロカルビル」は、２つ以上のヒドロキシル（−ＯＨ）基を有するヒドロカルビルである。「ヒドロカルビル」は、例えばエチル、フェニルなどの炭化水素から水素原子を除去することによって形成される一価の基である。
【００４０】
Ｒ１がポリヒドロキシヒドロカルビルである場合、Ｒ１は、非環式又は環式のポリヒドロキシヒドロカルビル、好ましくは直鎖ポリヒドロキシヒドロカルビルである。好ましくは、Ｒ１は、少なくとも２つのヒドロキシル基を有する直鎖のＣ３〜Ｃ８鎖であり、好ましくは、鎖の炭素原子に直接結合した少なくとも３つのヒドロキシル基を有するＣ４〜Ｃ７鎖である。Ｒ１が、例えば、更なるヒドロキシル基又は、例えばポリヒドロキシアルキル基などの更なるポリヒドロキシヒドロカルビルのエーテル化によって、置換基、特にアルコキシ基を含んでもよい。Ｒ１は、好ましくは、塩基性炭素鎖の置換基上にかかるヒドロキシル基を含む少なくとも３つの遊離ヒドロキシル基を含む。あるいは、Ｒ１を、内部エーテル結合を含む環構造から選択することができ、この環は、少なくとも２個以上のヒドロキシル基を含み、最も好ましくは、ヒドロキシル基は、式（Ｉ）中の窒素に結合していない炭素原子上にある。Ｒ１が、開鎖テトラトール、ペンチトール、ヘキサトール若しくはヘプチトール基、又はそのような基のシクロエーテルアンヒドロ誘導体などのアンヒドロであってもよい。
【００４１】
Ｒ１は、糖、好ましくは単糖類、二糖類、又は三糖類からなる群から選択される糖、好ましくは単糖類から誘導されるポリヒドロキシヒドロカルビルであり得る。例えば、Ｒ１は、糖、特にグルコース、キシロース、フルクトース若しくはソルビトールなどの単糖類、マルトース若しくはスクロースなどの二糖類、又はより高次のオリゴ糖の残基、あるいはこれらの糖に由来する残基であってもよい。単糖類が好ましいが、二糖類及び三糖類も、典型的にはポリヒドロキシヒドロカルビルが由来する糖中に存在する比で存在し得る。好ましくは、Ｒ１は、グルコース、キシロース、マルトース及びこれらの混合物からなる群の糖から誘導される。
【００４２】
好ましいＲ１基は、グリコースから誘導され、式：
−ＣＨ２（ＣＨＯＨ）４−ＣＨ２ＯＨ  式ＩＩ
で表され、例えば、グルコース、マンノース又はガラクトース、好ましくはグルコースなどの単糖類からの残基に対応する。単糖類のアルデヒドは、典型的には、式Ｉのアミンに単糖類を結合させる反応の間に排除される。Ｒ１がグルコースから誘導される場合には特に好ましい。この場合、ＮＲ１基は、式：
−Ｎ−ＣＨ２（ＣＨＯＨ）４  ＣＨ２ＯＨ  式ＩＩＩ
で表され、この基は便宜上、グリカミン基と呼ばれる。最も好ましくは、Ｒ１基はグルコースから誘導され、対応するアミンは、（通常、グルコースから製造されるため）グルカミンと呼ばれ得る。Ｒ１基は、１個、２個又はそれ以上のグルコース単位を含んでもよく、得られるグルカミンは、モノグルカミン（Ｒ１は１つのグルコース単位を含む）、ジグルカミン（Ｒ１は２つのグルコース単位を含む）及びトリグルカミン（Ｒ１は３個のグルコース単位を含む）の混合物であってもよい。
【００４３】
Ｒ１は、炭素数１〜１０のアルキルである場合、好ましくは１〜５個、より好ましくは１〜４個、更により好ましくは１〜２個の炭素原子を含むアルキルである。最も好ましくは、Ｒ１は、ポリヒドロキシヒドロカルビルではない場合、水素又はメチルである。
【００４４】
最も好ましくは、Ｒ１はポリヒドロキシヒドロカルビルである。
【００４５】
Ｒ２は、特にＲ１がポリヒドロキシヒドロカルビルである場合に、好ましくは、水素及び炭素数１〜１０のアルキルからなる群から選択される。Ｒ２は、好ましくは水素であるか、又は１〜５個、より好ましくは１〜４個、更により好ましくは１〜２個の炭素原子を含むアルキル基である。最も好ましくは、Ｒ２は水素又はメチルである。
【００４６】
Ｒ１がポリヒドロキシヒドロカルビルではない場合、Ｒ１及びＲ２は、好ましくは独立して、水素又は１〜５個、好ましくは１〜４個、更により好ましくは１〜２個の炭素原子を含むアルキル基から選択される。最も好ましくは、Ｒ１及びＲ２は、独立して水素又はメチルから選択される。
【００４７】
Ｒ３はヒドロカルビルであり、好ましくは炭素数６〜３０のアルキル基、ヒドロキシアルキル基、アルコキシアルキル基、シクロアルキル基、アラルキル基又はアルケニル基から選択され、好ましくはアルキル基は、６〜３０個、好ましくは７〜２０個、より好ましくは８〜１５個、更により好ましくは８〜１２個、最も好ましくは８〜１０個の炭素原子を含む。アルキル基は、直鎖であっても分枝鎖であってもよく、好ましくは２位又は３位、好ましくは２位で分枝するＣ１〜Ｃ４分枝、より好ましくはＣ１〜Ｃ３分枝である。Ｒ３はまた、例えば、ヒドロキシ又はアルコキシ置換アルキル基、特にヒドロキシ置換された炭素数６〜３０のアルキル基などの置換アルキル基であってもよい。更なるヒドロキシル基又は酸素原子が、水溶性を適度に向上させてもよい。Ｒ３は、アラルキル基、特にベンジル基などの炭素数７〜１２のアラルキル基であってもよい。Ｒ３は、好ましくは、炭素数６〜１０のアルキル及びこれらの混合物からなる群から選択され、好ましくは、Ｒ３はヘキシル、オクチル、デシル及びこれらの混合物からなる群から選択され、より好ましくはＲ３はデシルであり、最も好ましくはＲ３は２−プロピルヘプチルである。Ｒ３がデシル、特に２−プロピルヘプチルなどの分枝鎖状デシルである抗菌性硬質表面洗浄組成物は、７．０〜１０．０又は７．０〜９．０、又は更には７．０〜８．０などのより中性のｐＨであっても、抗菌性組成物として特に有効であることが見出されている。
【００４８】
式（Ｉ）によるアミン化合物から選択されるアミン界面活性剤は、
Ｒ１が、好ましくは単糖類、より好ましくはグルコースから誘導されるポリヒドロキシヒドロカルビルであり、式：
−ＣＨ２（ＣＨＯＨ）４  ＣＨ２ＯＨ  式ＩＩ
を有し、
Ｒ２は水素又はメチルであり、
Ｒ３は、炭素数６〜１０のアルキル及びこれらの混合物からなる群から選択され、好ましくは、Ｒ３はヘキシル、オクチル、デシル及びこれらの混合物からなる群から選択され、より好ましくはＲ３はデシルであり、最も好ましくはＲ３は２−プロピルヘプチルである。
【００４９】
本明細書で使用するのに好ましいアミンとしては、ｎが１であり、Ｒ１がグルカミン化合物を形成するグルコースであり、Ｒ２がメチルであり、Ｒ３がヘキシル、オクチル又はデシルであるアミンが挙げられる。
【００５０】
Ｒ３は、オクチルである場合、好ましくはｎ−オクチル及び２−エチルヘキシルから選択される。Ｒ３は、デシルである場合、好ましくはｎ−デシル及び２−プロピルヘプチルから選択される。
【００５１】
本明細書で使用するのに好ましい他のアミンは、ｎが１であり、Ｒ１及びＲ２がメチルであり、Ｒ３がヘキシル、オクチル又はデシルであるアミンである。Ｒ３は、オクチルである場合、好ましくはｎ−オクチル及び２−エチルヘキシルから選択される。Ｒ３は、デシルである場合、好ましくはｎ−デシル及び２−プロピルヘプチルから選択される。
【００５２】
複数の異なるアミンの混合物は、加工、溶解性及び性能の点で有利であり得る。
【００５３】
このようなアミン界面活性剤は、特定のｐＨでは正味の正電荷を有し得るが、典型的には非イオン性界面活性剤と呼ばれる。しかしながら、低ｐＨ（界面活性剤のｐＫａ未満）では、正味の正電荷を有し得る。
【００５４】
本発明の組成物は、組成物の０．１重量％〜１５重量％、好ましくは０．１重量％〜１０重量％、より好ましくは０．１５重量％〜９．５重量％、最も好ましくは０．３重量％〜９重量％の式Ｉのアミンを含む。
【００５５】
界面活性剤
抗菌性硬質表面洗浄組成物は、更なる界面活性剤、好ましくは、更なる非イオン性界面活性剤、アニオン性界面活性剤、両性界面活性剤、双性イオン性界面活性剤及びこれらの混合物からなる群から選択される更なる界面活性剤を含み得る。更なる非イオン性界面活性剤が特に好ましい。
【００５６】
抗菌性硬質表面洗浄組成物は、好ましくは、更なる非イオン性界面活性剤を含む。更なる非イオン性界面活性剤は、アルコキシル化非イオン性界面活性剤、アルキルポリグリコシド、（ＥＯ／ＰＯブロックコポリマーなどの）アルコキシル化ブロックコポリマー、アミンオキシド及びこれらの混合物からなる群から選択することができる。典型的には、抗菌性硬質表面洗浄組成物は、全組成物の０．０１５重量％〜２２．０重量％、好ましくは０．０６重量％〜６．０重量％、より好ましくは０．１５重量％〜３．５重量％の当該非イオン性界面活性剤を含み得る。
【００５７】
硬質表面洗浄組成物は、組成物の０．００５重量％〜９．５重量％、好ましくは０．０１重量％〜２．０重量％、より好ましくは０．０５重量％〜１．０重量％のアルコキシル化アルコール、好ましくはエトキシル化アルコールを含み得る。
【００５８】
好適なアルコキシル化非イオン性界面活性剤としては、一級Ｃ６〜Ｃ１６アルコールポリグリコールエーテル、すなわち、アルキル部分に６〜１６個の炭素原子及び４〜３０個のエチレンオキシド（ＥＯ）単位を有するエトキシル化アルコールが挙げられる。好適なアルコキシル化界面活性剤としては、Ｇｕｅｒｂｅｔアルコール及びアルキレンオキシドから製造されるＣ６〜Ｃ１６ポリエチレングリコールエーテルが挙げられる。例えばＣ９〜１４に言及する場合には、平均の炭素を意味し、代替的に例えばＥＯ８に言及する場合には、平均のエチレンオキシド単位を意味する。
【００５９】
好適なアルコキシル化非イオン性界面活性剤は、式：ＲＯ−（Ａ）ｎＨで表され、式中、Ｒが、Ｃ６〜Ｃ１８、好ましくはＣ８〜Ｃ１６、より好ましくはＣ８〜Ｃ１２アルキル鎖、又はＣ６〜Ｃ２８アルキルベンゼン鎖であり、Ａは、エトキシ又はプロポキシ又はブトキシ単位であり、ｎは１〜３０、好ましくは１〜１５、より好ましくは４〜１２、更により好ましくは５〜１０である。本明細書における使用に好ましいＲ鎖は、Ｃ８〜Ｃ２２アルキル鎖である。本明細書における使用に更に好ましいＲ鎖は、Ｃ９〜Ｃ１２アルキル鎖である。Ｒは、直鎖又は分枝鎖のアルキル鎖であってよい。
【００６０】
本明細書における使用に好適なエトキシル化非イオン性界面活性剤は、Ｄｏｂａｎｏｌ（登録商標）９１−２．５（ＨＬＢ＝８．１であり、Ｒは、Ｃ９及びＣ１１アルキル鎖の混合物であり、ｎは２．５である）、Ｄｏｂａｎｏｌ（登録商標）９１−１０（ＨＬＢ＝１４．２；ＲはＣ９〜Ｃ１１アルキル鎖の混合物であり、ｎは１０である）、Ｄｏｂａｎｏｌ（登録商標）９１−１２（ＨＬＢ＝１４．５；Ｒは、Ｃ９〜Ｃ１１アルキル鎖の混合物であり、ｎは１２である）、Ｇｒｅｅｎｂｅｎｔｉｎｅ  ＤＥ８０（ＨＬＢ＝１３．８、９８重量％のＣ１０直鎖アルキル鎖、ｎは８である）、Ｍａｒｌｉｐａｌ  １０−８（ＨＬＢ＝１３．８、ＲはＣ１０直鎖アルキル鎖であり、ｎは８である）、Ｎｅｏｄｏｌ  ９１−８（ＲはＣ９〜Ｃ１１アルキル鎖の混合物であり、ｎは８である）、Ｌｕｔｅｎｓｏｌ  ＸＬ  １４０（Ｒは２−プロピルヘプチルアルキル鎖であり、ｎは１４である）、Ｎｏｖｅｌ（登録商標）１２−２３（ＨＬＢ＝１６．９；ＲはＣ１２であり、ｎは２３である）、Ｌｉａｌｅｔｈｌ（登録商標）１１−５（ＲはＣ１１アルキル鎖であり、ｎは５である）、Ｉｓａｌｃｈｅｍ（登録商標）１１−５（Ｒは直鎖及び分枝鎖Ｃ１１アルキル鎖の混合物であり、ｎは５である）、Ｌｉａｌｅｔｈｌ（登録商標）１１−２１（Ｒは直鎖及び分枝鎖Ｃ１１アルキル鎖の混合物であり、ｎは２１である）、Ｉｓａｌｃｈｅｍ（登録商標）１１−２１（ＲはＣ１１分枝鎖アルキル鎖であり、ｎは２１である）、Ｅｍｐｉｌａｎ（登録商標）ＫＢＥ２１（ＲはＣ１２及びＣ１４アルキル鎖の混合物であり、ｎは２１である）又はこれらの混合物である。本明細書で好ましいものとしては、Ｄｏｂａｎｏｌ（登録商標）９１−５、Ｎｅｏｄｏｌ（登録商標）１１−５、Ｎｅｏｄｏｌ（登録商標）９１−８、Ｌｕｔｅｎｓｏｌ（登録商標）ＸＬ１４０；Ｎｏｖｅｌ  １２−２３、Ｌｉａｌｅｔｈｌ（登録商標）１１−２１  Ｌｉａｌｅｔｈｌ（登録商標）１１−５  Ｉｓａｌｃｈｅｍ（登録商標）１１−５  Ｉｓａｌｃｈｅｍ（登録商標）１１−２１  Ｄｏｂａｎｏｌ（登録商標）９１−８、又はＤｏｂａｎｏｌ（登録商標）９１−１０、又はＤｏｂａｎｏｌ（登録商標）９１−１２、あるいはこれらの混合物が挙げられる。これらのＤｏｂａｎｏｌ（登録商標）／Ｎｅｏｄｏｌ（登録商標）界面活性剤は、ＳＨＥＬＬより市販されている。これらのＬｕｔｅｎｓｏｌ（登録商標）界面活性剤は、ＢＡＳＦ社より市販され、これらのＮｏｖｅｌ（登録商標）界面活性剤は、Ｓａｓｏｌ社より入手可能である。
【００６１】
本明細書における使用に好適なアルコキシル化非イオン性界面活性剤の化学的な調製プロセスとしては、所望の割合での対応するアルコールとアルキレンオキシドとの縮合が挙げられる。ＯＸＯプロセス及びその様々な派生物を含むかかるプロセスは、当業者に周知であり、当該技術分野において広く説明されている。ＯＸＯプロセスを使用して生成される好適なアルコキシル化脂肪族アルコール非イオン性界面活性剤は、Ｓｈｅｌｌ  Ｃｈｅｍｉｃａｌ  Ｃｏｍｐａｎｙによって商品名ＮＥＯＤＯＬ（登録商標）で販売されている。あるいは、好適なアルコキシル化非イオン性界面活性剤は、チーグラープロセスなどの他のプロセス、加えてＯＸＯ又はチーグラープロセスの派生物によって調製され得る。
【００６２】
好ましくは、当該アルコキシル化非イオン性界面活性剤は、アルコキシル化非イオン性界面活性剤、及びこれらの混合物からなる群から選択される。より好ましくは、当該アルコキシル化非イオン性界面活性剤は、Ｃ９〜１１  ＥＯ５アルキルエトキシレート、Ｃ１２〜１４  ＥＯ５アルキルエトキシレート、Ｃ１１  ＥＯ５アルキルエトキシレート、Ｃ１２〜１４  ＥＯ２１アルキルエトキシレート、Ｃ９〜１１  ＥＯ８アルキルエトキシレート、２−プロピルヘプチルＥＯ１４アルキルアルコキシレート、Ｃ１２  ＥＯ２３アルキルエトキシレート又はこれらの混合物である。最も好ましくは、当該アルコキシル化非イオン性界面活性剤は、Ｃ１１  ＥＯ５アルキルエトキシレート、Ｃ９〜１１  ＥＯ８アルキルエトキシレート、Ｃ１０  ＥＯ８アルキルエトキシレート、２−プロピルヘプチルＥＯ１４アルキルアルコキシレート、Ｃ１２  ＥＯ２３アルキルエトキシレート及びこれらの混合物である。好適なＣ１０  ＥＯ８アルキルエトキシレートとしては、Ｓａｓｏｌより販売されているＭａｒｌｉｐａｌ（登録商標）１０／８及びＧｒｅｅｎｂｅｎｔｉｎ（登録商標）ＤＥ／０８０が挙げられ、好適な２−プロピルヘプチルＥＯ１４アルキルアルコキシレートとしては、ＢＡＳＦより販売されているＬｕｔｅｎｓｏｌ  ＸＬ１４０が挙げられ、好適なＣ１２  ＥＯ２３アルキルエトキシレートとしては、Ｓａｓｏｌより販売されているＮｏｖｅｌ（登録商標）１２−２３が挙げられ、好適なＣ９〜１１  ＥＯ８アルキルエトキシレートとしては、Ｓｈｅｌｌ  Ｃｈｅｍｉｃａｌ  Ｃｏｍｐａｎｙから販売されているＮｅｏｄｏｌ  ９１−８が挙げられる。
【００６３】
アルキルポリグリコシドは、当該技術分野において周知の生分解性非イオン性界面活性剤であり、本発明の組成物に使用することもできる。好適なアルキルポリグリコシドは、一般式ＣｎＨ２ｎ＋１Ｏ（Ｃ６Ｈ１０Ｏ５）ｘＨを有することができ、式中、ｎは好ましくは９〜１６、より好ましくは１１〜１４であり、ｘは好ましくは１〜２、より好ましくは１．３〜１．６である。
【００６４】
好適なアミンオキシド界面活性剤としては、Ｒ１Ｒ２Ｒ３ＮＯが挙げられ、式中、Ｒ１、Ｒ２及びＲ３のそれぞれは、独立して、１〜３０個の炭素原子を有する飽和又は不飽和、置換又は非置換、直鎖又は分枝鎖の炭化水素鎖である。好ましいアミンオキシド界面活性剤は、以下の式：Ｒ１Ｒ２Ｒ３ＮＯ（式中、Ｒ１は、１〜３０個、好ましくは６〜２０個、より好ましくは８〜１６個の炭素原子を含む炭化水素鎖であり、Ｒ２及びＲ３は、独立して、１〜４個の炭素原子、好ましくは１〜３個の炭素原子を含む飽和又は不飽和、置換又は非置換、直鎖又は分枝鎖の炭化水素鎖であり、より好ましくはメチル基である）を有するアミンオキシドである。Ｒ１は、飽和又は不飽和、置換又は非置換、直鎖又は分枝鎖の炭化水素鎖であってよい。好ましくは、抗菌性硬質表面洗浄組成物は、当該組成物の０．０１重量％〜９．５重量％、好ましくは０．０１重量％〜２．０重量％、より好ましくは０．０５重量％〜１．０重量％のアミンオキシド界面活性剤を含む。あるいは、抗菌性硬質表面洗浄組成物は、例えば１．０重量％未満、又は０．５重量％未満又は０．０１重量％未満のアミンオキシド界面活性剤などの低濃度のアミンオキシド界面活性剤を含んでよく、又はアミンオキシド界面活性剤を含まなくてもよい。これは、本発明の組成物に使用されるアミンが油脂を良好に洗浄する一方で、処理された表面の光沢も改善するからである。
【００６５】
非常に好ましいアミンオキシドは、Ｃ８ジメチルアミンオキシド、Ｃ１０ジメチルアミンオキシド及び、Ｃ１２〜Ｃ１４ジメチルアミンオキシドである。Ｃ８ジメチルアミンオキシドは、ＣｌａｒｉａｎｔからＧｅｎａｍｉｎｏｘ（登録商標）ＯＣの商品名で市販されており、Ｃ１０ジメチルアミンオキシドは、ＣｌａｒｉａｎｔからＧｅｎａｍｉｎｏｘ（登録商標）Ｋ−１０の商品名で市販されており、Ｃ１２〜Ｃ１４ジメチルアミンオキシドは、Ａｌｂｒｉｇｈｔ  ＆  Ｗｉｌｓｏｎから市販されており、またＣｌａｒｉａｎｔから商品名Ｇｅｎａｍｉｎｏｘ（登録商標）ＬＡで、又はＡＫＺＯ  Ｎｏｂｅｌから商品名ＡＲＯＭＯＸ（登録商標）ＤＭＣで市販されている。
【００６６】
好適なアルコキシル化ブロックコポリマーとしては、エトキシル化アルコキシル化非イオン性界面活性剤が挙げられる。エトキシル化アルコキシル化非イオン性界面活性剤は、好ましくは、エステル化アルキルアルコキシル化界面活性剤、分子のアルコキシ部分が、好ましくはプロポキシ、又はブトキシ、又はプロポキシブトキシである、アルキルエトキシアルコキシアルコール、ポリオキシアルキレンブロックコポリマー、及びこれらの混合物からなる群から選択される。
【００６７】
好ましいエトキシル化アルコキシル化非イオン性界面活性剤は、一般式（Ｉ）のエステル化アルキルアルコキシル化界面活性剤であり、
【００６８】
【化３】
2020531611.tif 000004
式中、
Ｒは、８〜１６個、好ましくは１０〜１６個、及びより好ましくは１２〜１５個の炭素原子を有する分岐又は非分岐アルキル基であり、
Ｒ３、Ｒ１は、互いに独立して、水素、又は１〜５個の炭素原子を有する分岐若しくは非分岐アルキル基であり、好ましくは、Ｒ３及びＲ１が水素であり、
Ｒ２は、５〜１７個の炭素原子を有する非分岐アルキル基であり、好ましくは、６〜１４個の炭素原子を有し、
ｌ、ｎは、互いに独立して、１〜５の数であり、
ｍが、８〜５０の数であり、及び
好ましくは、式（Ｉ）のエトキシル化アルコキシル化非イオン性界面活性剤の重量平均分子量は、９５０〜２３００ｇ／モル、より好ましくは１２００〜１９００ｇ／モルである。
【００６９】
好ましくは、Ｒは、１２〜１５個、好ましくは１３個の炭素原子である。Ｒ３及びＲ１は、好ましくは水素である。ｌは、好ましくは５である。ｎは、好ましくは１である。ｍは、好ましくは１３〜３５、より好ましくは１５〜２５、最も好ましくは２２である。Ｒ２は、好ましくは、６〜１４個の炭素原子である。
【００７０】
本発明の硬質表面洗浄組成物は、エステル化アルキルアルコキシル化界面活性剤が、以下：Ｒが、１２〜１５個、好ましくは１３個の炭素原子を有し、Ｒ３が水素であり、Ｒ１が水素であり、ｌが５であり、ｎが１であり、ｍが１５〜２５、好ましくは２２であり、Ｒ２が、６〜１４個の炭素原子を有し、エトキシル化アルコールが、１０〜１４個、より好ましくは１３個の炭素原子、及び５〜８分子、より好ましくは７分子のエチレンオキシドを含有する脂肪族アルコール鎖を含むとき、特に良好な光沢を提供する。
【００７１】
別の好ましいエトキシル化アルコキシル化非イオン性界面活性剤は、好ましくは分子のアルコキシ部分が、プロポキシ、又はブトキシ、又はプロポキシブトキシである、アルキルエトキシアルコキシアルコールである。より好ましいアルキルエトキシアルコキシアルコールは、式（ＩＩ）：
【００７２】
【化４】
2020531611.tif 000005
［式中、
Ｒは、８〜１６個の炭素原子を有する分岐又は非分岐アルキル基であり、
Ｒ１は、１〜５個の炭素原子を有する分岐又は非分岐アルキル基であり、
ｎは１〜１０であり、ｍは６〜３５である。
好ましくは、Ｒは、１２〜１５個、好ましくは１３個の炭素原子である。Ｒ１は、炭素原子数１〜２の分岐アルキル基であることが好ましく、ｎは１〜５であることが好ましく、ｍは８〜２５であることが好ましい。好ましくは、式（ＩＩ）のエトキシル化アルコキシル化非イオン性界面活性剤の重量平均分子量は、５００〜２０００ｇ／モル、より好ましくは６００〜１７００ｇ／モル、最も好ましくは８００〜１５００ｇ／モルである。］で表される。
【００７３】
エトキシル化アルコキシル化非イオン性界面活性剤は、ポリオキシアルキレンコポリマーであり得る。ポリオキシアルキレンコポリマーは、ブロック−ヘテリックエトキシル化アルコキシル化非イオン性界面活性剤であり得るが、ブロック−ブロック界面活性剤が好ましい。好適なポリオキシアルキレンブロックコポリマーとしては、式（ＩＩＩ）のエチレンオキシド／プロピレンオキシドブロックポリマー：
（ＥＯ）ｘ（ＰＯ）ｙ（ＥＯ）ｘ、又は
（ＰＯ）ｘ（ＥＯ）ｙ（ＰＯ）ｘ
が挙げられ、式中、ＥＯが、エチレンオキシド単位を表し、ＰＯが、プロピレンオキシド単位を表し、ｘ及びｙが、生成物の各モルにおけるエチレンオキシド及びプロピレンオキシドの平均数を詳述する数である。かかる物質は、殆どの非イオン性界面活性剤よりも高い分子量を有する傾向があり、そのため、１０００〜３００００ｇ／モルの範囲であり得るが、分子量は、本発明に従うものとするためには、２２００超且つ好ましくは１３０００未満であるべきである。ポリマー非イオン性界面活性剤の分子量の好ましい範囲は、２４００〜１１５００ダルトンである。ＢＡＳＦ（Ｍｏｕｎｔ  Ｏｌｉｖｅ，Ｎ．Ｊ．）は、好適な一連の誘導体を製造し、それらをＰｌｕｒｏｎｉｃの商品名で販売している。これらの例は、それぞれ６６００、２４５０、及び１１４００ｇ／モルの分子量を有する、Ｐｌｕｒｏｎｉｃ（商標）Ｆ７７、Ｌ６２、及びＦ８８である。有用なポリマー非イオン性界面活性剤の特に好ましい例は、Ｐｌｕｒｏｎｉｃ（商標）Ｆ７７である。
【００７４】
他の好適なエトキシル化アルコキシル化非イオン性界面活性剤は、Ｓｕｒｆａｃｔａｎｔ  Ｓｃｉｅｎｃｅ  ａｎｄ  Ｔｅｃｈｎｏｌｏｇｙ，Ｔｈｉｒｄ  Ｅｄｉｔｉｏｎ，Ｗｉｌｅｙ  Ｐｒｅｓｓ，ＩＳＢＮ  ９７８−０−４７１−６８０２４−６の第７章に記載されている。
【００７５】
エトキシル化アルコキシル化非イオン性界面活性剤は、６０〜２００、好ましくは７５〜１５０の湿潤効果を提供することができる。湿潤効果は、１ｇ／ｌのエトキシル化アルコキシル化非イオン性界面活性剤を、２３℃で、ソーダ２ｇ／Ｌを用いて、ＥＮ  １７７２に従って測定する。好ましいエトキシル化アルコキシル化非イオン性界面活性剤としては、ＰＬＵＲＡＦＡＣ  ＬＦ  ３０１（湿潤効果９０ｓ）、ＬＦ  ４０１（１１５ｓの湿潤効果）、ＬＦ  ４０５（１００ｓの湿潤効果）、及びＬＦ  ７３１９（１００ｓの湿潤効果）などの「Ｐｌｕｒａｆａｃ」商標でＢＡＳＦにより販売されているものが挙げられる。上述の湿潤効果を有するエトキシル化アルコキシル化非イオン性界面活性剤と、更なる非イオン性界面活性剤及びアニオン性界面活性剤との組み合わせにより、洗浄後の硬質表面上に残った洗浄水が玉状になってはじかれ、したがって、その後の拭き取り中の残留汚れが除去されやすくなると考えられる。更に、玉状になってはじかれることで、乾燥時間が短縮され、滑りにくくなる。比較すると、Ｐｌｕｒａｆａｃ  ＬＦ  ３００（６０の湿潤効果）などの好ましくないエトキシル化アルコキシル化非イオン性界面活性剤は、光沢が劣り、乾燥時間がより長い。
【００７６】
非イオン性界面活性剤は、好ましくは、１２００ｇ／モル未満、より好ましくは８００ｇ／モル未満、最も好ましくは５００ｇ／モル未満の分子量を有する低分子量非イオン性界面活性剤である。
【００７７】
アニオン性界面活性剤は、存在する場合、好ましくは低濃度で存在する。アニオン性界面活性剤は、アルキルサルフェート、アルキルアルコキシル化サルフェート、スルホン酸又はスルホネート界面活性剤、及びこれらの混合物からなる群から選択することができる。抗菌性硬質表面洗浄組成物は、最大２．０重量％、好ましくは最大１．０重量％、又は最大０．１重量％のアニオン性界面活性剤を含むことができる。最も好ましい実施形態では、組成物はアニオン性界面活性剤を含まないか、又は本質的に含まない。
【００７８】
アニオン性界面活性剤が使用される場合、アルキルエトキシル化サルフェート、特にエトキシル化度が１〜８、好ましくは２〜５であるものが好ましい。
【００７９】
本明細書での使用に好適なアルキルサルフェートとしては、式ＲＯＳＯ３のＭの水溶性の塩又は酸が挙げられ、式中、Ｒは、Ｃ６〜Ｃ１８の直鎖又は分枝鎖の、飽和又は不飽和アルキル基、好ましくはＣ８〜Ｃ１６のアルキル基、より好ましくはＣ１０〜Ｃ１６のアルキル基であり、Ｍは、Ｈ、又は例えばアルカリ金属カチオン（例えばナトリウム、カリウム、リチウム）、又はアンモニウム若しくは置換アンモニウム（例えばメチル−、ジメチル−、及びトリメチルアンモニウムカチオン及び四級アンモニウムカチオン、例えばテトラメチル−アンモニウム及びジメチルピペリジニウムカチオン、並びにエチルアミン、ジエチルアミン、トリエチルアミン、及びこれらの混合物のようなアルキルアミンから誘導される四級アンモニウムカチオンなど）などのカチオンである。
【００８０】
特に好適な直鎖アルキルサルフェートとしては、Ｈｕｎｔｓｍａｎから市販されているＥＭＰＩＣＯＬ（登録商標）０２９８／、ＥＭＰＩＣＯＬ（登録商標）０２９８／Ｆ、又はＥＭＰＩＣＯＬ（登録商標）ＸＬＢなどのＣ１２〜１４アルキルサルフェートが挙げられる。「直鎖アルキルサルフェート」とは、本明細書において、非置換のアルキルサルフェートを意味し、ここで直鎖アルキル鎖は、６〜１６個の炭素原子、好ましくは８〜１４個の炭素原子、より好ましくは１０〜１４個の炭素原子を含み、このアルキル鎖は、一方の末端が硫酸化されている。
【００８１】
本明細書での使用に好適なスルホン化アニオン性界面活性剤は、当業者には周知の全てのスルホン化アニオン性界面活性剤である。好ましくは、本明細書で使用されるスルホン化アニオン性界面活性剤は、アルキルスルホネート、アルキルアリールスルホネート、ナフタレンスルホネート、アルキルアルコキシル化スルホネート、及びＣ６〜Ｃ１６のアルキルアルコキシル化直鎖又は分枝鎖ジフェニルオキシドジスルホネート、並びにこれらの混合物からなる群から選択される。
【００８２】
本明細書での使用に好適なアルキルスルホネートとしては、式ＲＳＯ３のＭの水溶性の塩又は酸が挙げられ、式中、Ｒは、Ｃ６〜Ｃ１８の直鎖又は分枝鎖の、飽和又は不飽和アルキル基、好ましくはＣ８〜Ｃ１６のアルキル基、より好ましくはＣ１０〜Ｃ１６のアルキル基であり、Ｍは、Ｈ、又は例えばアルカリ金属カチオン（例えばナトリウム、カリウム、リチウム）又はアンモニウム若しくは置換アンモニウム（例えばメチル−、ジメチル−、及びトリメチルアンモニウムカチオン及び四級アンモニウムカチオン、例えばテトラメチル−アンモニウム及びジメチルピペリジニウムカチオン、並びにエチルアミン、ジエチルアミン、トリエチルアミン、及びこれらの混合物のようなアルキルアミンから誘導される四級アンモニウムカチオンなど）などのカチオンである。
【００８３】
本明細書での使用に好適なアルキルアリールスルホネートとしては、式ＲＳＯ３のＭの水溶性の塩又は酸が挙げられ、式中、Ｒは、Ｃ６〜Ｃ１８の直鎖又は分枝鎖の、飽和又は不飽和アルキル基、好ましくはＣ８〜Ｃ１６のアルキル基、より好ましくはＣ１０〜Ｃ１６のアルキル基で置換された、アリール、好ましくはベンジルであり、Ｍは、Ｈ、又は例えばアルカリ金属カチオン（例えばナトリウム、カリウム、リチウム、カルシウム、マグネシウムなど）、又はアンモニウム若しくは置換アンモニウム（例えばメチル−、ジメチル−、及びトリメチルアンモニウムカチオン及び四級アンモニウムカチオン、例えばテトラメチル−アンモニウム及びジメチルピペリジニウムカチオン、並びにエチルアミン、ジエチルアミン、トリエチルアミン、及びこれらの混合物などのアルキルアミンから誘導される四級アンモニウムカチオンなど）などのカチオンである。
【００８４】
特に好適な直鎖アルキルスルホネートとしては、Ｃｌａｒｉａｎｔから市販されているＨｏｓｔａｐｕｒ（登録商標）ＳＡＳのようなＣ１２〜Ｃ１６のパラフィンスルホネートが挙げられる。特に好ましいアルキルアリールスルホネートは、Ｈｕｎｔｓｍａｎから入手可能な商標名Ｎａｎｓａ（登録商標）として市販されているアルキルベンゼンスルホネートである。
【００８５】
「直鎖アルキルスルホネート」とは、本明細書において、非置換のアルキルスルホネートを意味し、アルキル鎖は、６〜１８個の炭素原子、好ましくは８〜１６個の炭素原子、より好ましくは１０〜１６個の炭素原子を含み、このアルキル鎖は一方の末端がスルホン化されている。
【００８６】
本明細書での使用に好適なアルコキシル化スルホネート界面活性剤は、式Ｒ（Ａ）ｍＳＯ３のＭによるものであり、式中、Ｒは、非置換のＣ６〜Ｃ１８のアルキル、ヒドロキシアルキル、又はアルキルアリール基であって、直鎖又は分枝鎖のＣ６〜Ｃ１８のアルキル成分、好ましくはＣ８〜Ｃ１６のアルキル又はヒドロキシアルキル、より好ましくはＣ１２〜Ｃ１６のアルキル又はヒドロキシアルキルを有し、Ａは、エトキシ又はプロポキシ又はブトキシ単位であり、ｍは、０よりも大きく、一般的には０．５〜６、より好ましくは０．５〜３であり、Ｍは、Ｈ又はカチオンであり、当該カチオンは、例えば、金属カチオン（例えば、ナトリウム、カリウム、リチウム、カルシウム、マグネシウムなど）、アンモニウム又は置換アンモニウムカチオンであってよい。アルキルエトキシル化スルホネート、アルキルブトキシル化スルホネート、及びアルキルプロポキシル化スルホネートが本明細書で想到される。置換アンモニウムカチオンの具体例としては、メチル−、ジメチル−、トリメチルアンモニウム、及びテトラメチルアンモニウム、ジメチルピペリジニウムのような四級アンモニウムカチオン、並びにエチルアミン、ジエチルアミン、トリエチルアミン、及びこれらの混合物などのアルカノールアミンから誘導されるカチオンが挙げられる。
【００８７】
界面活性剤の例としては、Ｃ１２〜Ｃ１８のアルキルポリエトキシレート（１．０）スルホネート（Ｃ１２〜Ｃ１８のＥ（１．０）ＳＭ）、Ｃ１２〜Ｃ１８のアルキルポリエトキシレート（２．２５）スルホネート（Ｃ１２〜Ｃ１８のＥ（２．２５）ＳＭ）、Ｃ１２〜Ｃ１８のアルキルポリエトキシレート（３．０）スルホネート（Ｃ１２〜Ｃ１８のＥ（３．０）ＳＭ）、Ｃ１２〜Ｃ１８のアルキルポリエトキシレート（４．０）スルホネート（Ｃ１２〜Ｃ１８のＥ（４．０）ＳＭ）があり、Ｍは、ナトリウム及びカリウムから適宜選択される。特に好適なアルコキシル化スルホネートとしては、Ｄｏｗ  Ｃｈｅｍｉｃａｌから市販されているＴｒｉｔｏｎ  Ｘ−２００（登録商標）のようなアルキルアリールポリエーテルスルホネートが挙げられる。
【００８８】
好ましくは、本明細書で使用される当該硫酸化又はスルホン化アニオン性界面活性剤は、アルキルサルフェート（ＡＳ）、好ましくはＣ１２、Ｃ１３、Ｃ１４及びＣ１５のＡＳ、直鎖アルキルスルホン酸ナトリウム（ＮａＬＡＳ）、パラフィンスルホン酸ナトリウムＮａＰＣ１２〜１６Ｓ、及びこれらの混合物からなる群から選択される。最も好ましくは、本明細書で使用される硫酸化又はスルホン化アニオン性界面活性剤は、アルキルサルフェート（ＡＳ）、好ましくはＣ１２、Ｃ１３、Ｃ１４及びＣ１５のＡＳ、直鎖アルキルスルホン酸ナトリウム（ＮａＬＡＳ）、パラフィンスルホン酸ナトリウムＮａＰＣ１２〜１６Ｓ、及びこれらの混合物からなる群から選択される。
【００８９】
硬質表面洗浄組成物は、好ましくは両性、双極性イオン性、及びこれらの混合物から選択される更なる界面活性剤を最大１５重量％含み得る。より好ましくは、硬質表面洗浄組成物は、０．５重量％〜５重量％、又は０．５重量％〜３重量％、又は０．５重量％〜２重量％の更なる界面活性剤を含み得る。
【００９０】
好適な双極性イオン性界面活性剤は、典型的には、使用ｐＨにおいて電気的に中性になるように、実質的に等しい比率でカチオン性基及びアニオン性基を両方含有し、当該技術分野において周知である。双極性イオン性界面活性剤（例えば、ベタイン／スルホベタイン界面活性剤など）のいくつかの一般的な例は、米国特許第２，０８２，２７５号、同第２，７０２，２７９号、及び同第２，２５５，０８２号に記載されている。
【００９１】
両性界面活性剤は、組成物のｐＨに依存してカチオン性又はアニオン性のいずれであることができる。好適な両性界面活性剤としては、ドデシルβ−アラニン、米国特許第２，６５８，０７２号に教示されているようにドデシルアミンをイセチオン酸ナトリウムと反応させることによって調製されるものなどのＮ−アルキルタウリン、米国特許第２，４３８，０９１号に教示されているものなどのＮ−高級アルキルアスパラギン酸、及び米国特許第２，５２８，３７８号に記載されているように商品名「Ｍｉｒａｎｏｌ」として販売されている製品が挙げられる。他の好適な追加の界面活性剤は、ＭｃＣｕｔｃｈｅｏｎ’ｓ  Ｄｅｔｅｒｇｅｎｔｓ  ａｎｄ  Ｅｍｕｌｓｉｆｅｒｓ、Ｎｏｒｔｈ  Ａｍｅｒｉｃａｎ  Ｅｄ．１９８０に記載されている。
【００９２】
任意成分：
キレート剤：抗菌性硬質表面洗浄組成物は、キレート剤又は結晶成長阻害剤を含み得る。好適なキレート剤は、界面活性剤系と組み合わされて光沢効果を向上させる。キレート剤は、全組成物の０．０５重量％〜５．０重量％、好ましくは０．１重量％〜３．０重量％、より好ましくは０．２重量％〜２．０重量％、最も好ましくは０．２重量％〜０．４重量％の範囲の量で当該組成物に配合することができる。
【００９３】
好適なホスホネートキレート剤としては、エチレンジアミンテトラメチレンホスホネート、及びジエチレントリアミンペンタメチレンホスホネート（ＤＴＰＭＰ）が挙げられ、これらの酸形態、又は塩のいずれかとして存在させることができる。
【００９４】
本明細書に用いるのに好ましい生分解性キレート剤は、エチレンジアミンＮ，Ｎ’−二コハク酸、若しくはこれらのアルカリ金属、若しくはアルカリ土類、アンモニウム若しくは置換アンモニウム塩、又はこれらの混合物、例えば、米国特許第４７０４２３３号に記載されているものである。より好ましい生分解性キレート剤は、Ａｋｚｏ  Ｎｏｂｅｌから商標名Ｄｉｓｓｏｌｖｉｎｅ  ４７Ｓで市販されているＬ−グルタミン酸Ｎ，Ｎ−二酢酸（ＧＬＤＡ）である。
【００９５】
好適なアミノカルボキシレートとしては、酸形態、又はアルカリ金属、アンモニウム、及び置換アンモニウム塩形態の両方での、エチレンジアミンテトラアセテート、ジエチレントリアミンペンタアセテート、ジエチレントリアミンペンタアセテート（ＤＴＰＡ）、Ｎ−ヒドロキシエチルエチレンジアミントリアセテート、ニトロトリアセテート、エチレンジアミンテトラプロピオネート、トリエチレンテトラアミンヘキサアセテート、エタノールジグリシン、及びメチルグリシン二酢酸（ＭＧＤＡ）が挙げられる。本明細書における使用に特に好適なアミノカルボキシレートは、例えばＢＡＳＦより商品名Ｔｒｉｌｏｎ  ＦＳ（登録商標）で市販されるプロピレンジアミン四酢酸（ＰＤＴＡ）、及びメチルグリシン二酢酸（ＭＧＤＡ）である。本明細書における使用に最も好ましいアミノカルボキシレートは、ＢＡＳＦより販売されるジエチレントリアミン五酢酸（ＤＴＰＡ）である。更に、本明細書における使用のためのカルボン酸キレート剤としては、サリチル酸、アスパラギン酸、グルタミン酸、グリシン、マロン酸、又はこれらの混合物が挙げられる。
【００９６】
更なるポリマー：抗菌性硬質表面洗浄組成物は、更なるポリマーを含み得る。本明細書に記載の特定のポリマーの存在は、存在するとき、ポリマーが組成物に提供する特定の泡立ち／起泡特徴のために液体組成物の油脂除去性能を更に改善することを可能にすることが見出されている。本明細書における使用に好適なポリマーは、同時係属の欧州特許出願２２７２９４２（０９１６４８７２．５）号、及び登録欧州特許第２０２５７４３（０７１１３１５６．９）号に開示されている。
【００９７】
ポリマーは、ビニルピロリドンホモポリマー（ＰＶＰ）、ポリエチレングリコールジメチルエーテル（ＤＭ−ＰＥＧ）、ビニルピロリドン／ジアルキルアミノアルキルアクリレート、又はメタクリレートコポリマー、ポリスチレンスルホネートポリマー（ＰＳＳ）、ポリビニルピリジン−Ｎ−オキシド（ＰＶＮＯ）、ポリビニルピロリドン／ビニルイミダゾールコポリマー（ＰＶＰ−ＶＩ）、ポリビニルピロリドン／ポリアクリル酸コポリマー（ＰＶＰ−ＡＡ）、ポリビニルピロリドン／酢酸ビニルコポリマー（ＰＶＰ−ＶＡ）、ポリアクリル酸ポリマー又はポリアクリル酸マレイン酸コポリマー、及びポリアクリル酸又はポリアクリル酸マレイン酸ホスホノ末端基コポリマー、並びにこれらの混合物からなる群から選択することができる。
【００９８】
典型的には、抗菌性硬質表面洗浄組成物は、全組成物の０．００５重量％〜５．０重量％、好ましくは０．１０重量％〜４．０重量％、より好ましくは０．１重量％〜３．０重量％、最も好ましくは０．２０重量％〜１．０重量％の当該ポリマーを含み得る。
【００９９】
脂肪酸は、多くの抗菌剤の特性に影響を及ぼす可能性があるため、好ましくない。脂肪酸は、存在する場合には、好ましくは０．２５重量％未満の低濃度で存在し、Ｃ８〜Ｃ２４脂肪酸のアルカリ塩を含むことができる。かかるアルカリ塩としては、脂肪酸のナトリウム塩、カリウム塩、及び／又はリチウム塩のような完全飽和金属塩、並びに脂肪酸のアンモニウム塩及び／又はアルキルアンモニウム塩が挙げられ、好ましくはナトリウム塩である。本明細書における使用に好ましい脂肪酸は、８〜２２個、好ましくは８〜２０個、より好ましくは８〜１８個の炭素原子を含有する。好適な脂肪酸は、カプリル酸、カプリン酸、ラウリン酸、ミリスチン酸、パルミチン酸、ステアリン酸、オレイン酸、及び、植物又は動物エステルのような天然原料由来の、適宜硬化された脂肪酸（例えばパーム油、オリーブ油、ココヤシ油、大豆油、ヒマシ油、獣脂、グラウンドオイル、鯨油及び魚油、並びに／又はババスオイル）の混合物から選択することができる。例えば、ココナッツ脂肪酸は、ＰＡＬＭＥＲＡＢ１２１１の名称にてＫＬＫ  ＯＬＥＡから市販されている。
【０１００】
溶媒：本発明の液体組成物は、溶媒又はその混合物を好ましい任意成分として含むことができる。
【０１０１】
好適な溶媒は、３〜１４個の炭素原子を有するエーテル類及びジエーテル類；グリコール類（プロピレングリコールなど）、又はアルコキシル化グリコール類；アルコキシル化芳香族アルコール類；芳香族アルコール類；アルコキシル化脂肪族アルコール類；脂肪族アルコール類；Ｃ８〜Ｃ１４アルキル及びシクロアルキル炭化水素類及びハロ炭化水素類、Ｃ６〜Ｃ１６グリコールエーテル類、テルペン類、並びにこれらの混合物からなる群から選択され得る。Ｎ−ブトキシプロパノール及びジプロピレングリコールｎ−ブチルエーテルなどのグリコールエーテルなどのエーテル類が特に好ましい。
【０１０２】
溶媒は、存在する場合には、０．１重量％〜１０重量％、又は０．２重量％〜５重量％、又は０．５重量％〜３重量％の濃度で存在することができる。
【０１０３】
ソルファクタント（solfactants）：液体組成物は、ソルファクタント、すなわち、溶媒と界面活性剤との双方としての有効性を有する化合物を含んでもよい。ソルファクタントの非限定的な例としては、以下の式のグリセリンエーテルエトキシレートソルファクタントが挙げられる：
【０１０４】
【化５】
2020531611.tif 000006
式中、ＲＺは、１〜３０個の炭素原子を有する直鎖又は分枝鎖アルキル基であり、ｎ１及び／又はｎ２は、１〜２０である。
【０１０５】
適切なソルファクタントは、米国特許出願公開第２０１４／０００５２７３号に記載されている。
【０１０６】
増粘剤：本発明による抗菌性硬質表面洗浄組成物は、増粘剤を更に含み得る。増粘剤は、組成物により長い接触時間を与え、したがって、油汚れ及び／又は粒子状の油汚れに浸透する時間を長くすることによって洗浄効果を高める、より粘度の高い洗浄組成物を提供する。増粘剤はまた、製品の安定性を改善することができる。
【０１０７】
本明細書において好適な増粘剤としては、ポリアクリレート系ポリマー、好ましくは疎水変性されたポリアクリレートポリマー；アミドポリマー；ヒドロキシエチルセルロース、好ましくは疎水変性ヒドロキシエチルセルロース、キサンタンガム、硬化ヒマシ油（ＨＣＯ）、及びこれらの混合物が挙げられる。
【０１０８】
好ましい増粘剤は、ポリアクリレート系ポリマー、好ましくは、疎水変性ポリアクリレートポリマーである。好ましくは、主モノマーであるアクリル酸、アクリル酸エステル、酢酸ビニル、メタクリル酸、アクリルニトリル及びこれらの混合物を主成分とする水溶性コポリマーであり、より好ましくは、コポリマーは、乳状で低粘度分散液の外観を有するメタクリル酸及びアクリル酸エステルを主成分とするものである。最も好ましい疎水（hydrologically）変性ポリアクリレートポリマーは、ＢＡＳＦより市販されているＲｈｅｏｖｉｓ（登録商標）ＡＴ１２０である。
【０１０９】
他の好適な増粘剤としては、ヒドロキシエチルセルロース（ＨＭ−ＨＥＣ）、好ましくは疎水変性されたヒドロキシエチルセルロースである。
【０１１０】
好適なヒドロキシエチルセルロース（ＨＭ−ＨＥＣ）としては、Ａｑｕａｌｏｎ／ＨｅｒｃｕｌｅｓよりＰｏｌｙｓｕｒｆ７６（登録商標）の製品名で、及び３Ｖ  ＳｉｇｍａよりＷ３０１の製品名で市販されるものがある。
【０１１１】
キサンタンガムは、本明細書における使用に好適な増粘剤の１つである。キサンタンガムは、レオロジー変性剤及び安定剤として一般的に使用されている多糖類である。キサンタンガムは、キサントモナス・カンペストリス細菌によってグルコース又はスクロースの発酵によって産生される。
【０１１２】
好適なキサンタンガムは、ＣＰ  Ｋｅｌｃｏから商標名Ｋｅｌｚａｎ  Ｔ（登録商標）として市販されている。
【０１１３】
硬化ヒマシ油は、本明細書における使用に好適な増粘剤の１つである。好適な硬化ヒマシ油は、Ｅｌｅｍｅｎｔｉｓから商品名ＴＨＩＸＣＩＮ  Ｒで入手可能である。
【０１１４】
他の好適な増粘剤は、アミドポリマーである。好適なアミドポリマーは、米国特許出願公開第２００３０１６２９３８（Ａ１）号に記載されているように、重合脂肪酸系ポリアミドである。好適なアミドポリマーは、ＣｒｙｓｔａＳｅｎｓｅ（商標）ＨＰ４、ＣｒｙｓｔａＳｅｎｓｅ（商標）ＨＰ５、及びＣｒｙｓｔａＳｅｎｓｅ（商標）ＭＰなどのＣｒｙｓｔａＳｅｎｓｅ（商標）の商品名でＣｒｏｄａから市販されている。
【０１１５】
本明細書で使用される最も好ましい増粘剤は、疎水性アルカリ膨潤性エマルション（ＨＡＳＥ）増粘剤である。このように、抗菌性硬質表面洗浄組成物は、好ましくは、全組成物の０．１重量％〜１０．０重量％、好ましくは０．２重量％〜５．０重量％、より好ましくは０．２重量％〜２．５重量％、最も好ましくは０．２重量％〜２．０重量％の当該増粘剤を含む。
【０１１６】
粘度、特に低剪断粘度が増加すると、特に傾斜面上での接触時間が長くなり、油汚れ及び／又は粒子状の油汚れへの浸透性が改善される。その結果、特に処理される表面上に未希釈で塗布される場合、粘度の増加により、洗浄及び抗菌効果が向上する。更に、高い低剪断粘度は、洗浄組成物の相安定性を改善し、特に、抗菌性硬質表面洗浄組成物の組成におけるコポリマーの安定性を改善する。したがって、好ましくは、増粘剤を含む抗菌性硬質表面洗浄組成物は、円錐角２°及び切頭部±６０μｍの４０ｍｍ円錐スピンドルを有する剪断速度１０ｓ−１のＡｔｌａｓ（登録商標）製ＡＤ１０００  Ａｄｖａｎｃｅｄレオメータを使用して測定したとき、２０℃で５０Ｐａ．ｓ〜１２００Ｐａ．ｓ、より好ましくは１００Ｐａ．ｓ〜８００Ｐａ．ｓ、最も好ましくは２００Ｐａ．ｓ〜６００Ｐａ．ｓの粘度を有する。
【０１１７】
疎水変性アルカリ膨潤性エマルション（ＨＡＳＥ）は、増粘ポリマーを含み、増粘ポリマーは、以下のモノマーを含む：
（ａ）１０モル％を超えるカルボン酸含有モノマーと、
（ｂ）９０モル％未満のアルキル（メタ）アクリレートモノマーと、
（ｃ）０〜３重量％、好ましくは０．１〜２重量％、より好ましくは０．５〜２重量％の式（Ｉ）又は式（ＩＩ）の会合性モノマー：
Ｒ１−ＣＨ＝ＣＨ−ＣＯＯ−（ＣＨ２ＣＨ２Ｏ）ｎ−Ｒ２  式（Ｉ）
Ｒ１−ＣＨ＝ＣＨ−Ｒ３−ＮＨ−ＣＯＯ−（ＣＨ２ＣＨ２Ｏ）ｎ−Ｒ２  式（ＩＩ）
式中：
（ｉ）Ｒ１は、Ｈ、Ｃ、又はＣＯＯＨであり、
（ｉｉ）Ｒ２は、Ｃ８〜Ｃ３０アルキル鎖、好ましくは脂肪族、好ましくは飽和、好ましくは直鎖であり、
（ｉｉｉ）ｎは、２〜１５０、好ましくは２〜５０、より好ましくは８〜３０、最も好ましくは１０〜２６の整数であり、
（ｉｖ）Ｒ３は、直鎖、分枝鎖、芳香族、又はこれらの組み合わせであり得るＣ１〜１２アルキル鎖である。
【０１１８】
透明性を向上させるために、カルボン酸含有モノマーは、増粘ポリマーの２０モル％超、より好ましくは２５モル％超、更により好ましくは３５モル％超の濃度で存在することが好ましい。カルボン酸含有モノマーは、アクリル酸、メタクリル酸、イタコン酸、又はマレイン酸及びこれらの混合物からなる群から選択することができる。増粘性を向上させるために、カルボン酸含有モノマーは、好ましくは８０モル％未満、より好ましくは７５モル％未満、更により好ましくは６５モル％の濃度で存在する。
【０１１９】
透明性を向上させるために、アルキル（メタ）アクリレートモノマーは、より好ましくは、増粘ポリマーの７５モル％未満、より好ましくは６５モル％未満の濃度で存在する。任意の好適なアルキル鎖を使用することができるが、Ｃ１〜Ｃ８が好ましい。より好ましい実施形態では、アルキル鎖は、エチル（Ｃ２）又はブチル（Ｃ４）である。アルキル鎖は、任意の好適な手段によって（メタ）アクリレート基に結合することができるが、エステル結合が好ましい。増粘性を向上させるために、アルキル（メタ）アクリレートモノマーは、より好ましくは１０モル％超、より好ましくは３０モル％超の濃度で存在する。
【０１２０】
増粘ポリマーのモノマーは、合計で最大１００モル％である。
【０１２１】
増粘ポリマーは、架橋されていないことが好ましい。モノマーは、ブロック内にランダムに分布又は分散させることができるが、増粘性を向上させるためにはランダムであることが好ましい。
【０１２２】
増粘ポリマーが、２０モル％を超えるカルボン酸含有モノマーと、８０モル％未満のアルキル（メタ）アクリレートモノマーと、０〜３モル％、好ましくは０．１〜２モル％、より好ましくは０．５モル％〜２モル％の、式（Ｉ）又は式（ＩＩ）の会合性モノマーとを含むＨＡＳＥ増粘剤を含む組成物は、抗菌剤の抗菌効果の維持に特に有効である。
【０１２３】
好ましくは、増粘ポリマーは、５０，０００Ｄａ〜２，０００，０００Ｄａ、より好ましくは１００，０００Ｄａ〜１，０００，０００Ｄａ、最も好ましくは３００，０００Ｄａ〜６００，０００Ｄａの分子量を有する。
【０１２４】
好適な疎水変性アルカリ膨潤性エマルション（ＨＡＳＥ）は、Ｌｕｂｒｉｚｏｌ  Ｃｏｒｐｏｒａｔｉｏｎ、Ｃｌａｒｉａｎｔ、Ａｋｚｏ  Ｎｏｂｅｌ、Ｃｏａｔｅｘ、３Ｖ  Ｓｉｇｍａ、ＳＥＰＰＩＣ、Ａｓｈｌａｎ及びＢＡＳＦにより様々な商品名で販売されている。特に適しているのは、Ｒｈｅｏｖｉｓ  ＡＴ１２０、Ｎｏｖｅｔｈｉｘ  Ｌ１０及びＮｏｖｅｔｈｉｘ  ＨＣ２００（Ｌｕｂｒｉｚｏｌ）、Ｃｒｙｓｔａｓｅｎｓｅ  Ｓａｐｐｈｉｒｅ（Ｃｌａｒｉａｎｔ）、Ａｌｃｏｇｕａｒｄ  ５８００（Ａｋｚｏ  Ｎｏｂｅｌ）、Ｒｈｅｏｓｏｌｖｅ  ６３７及びＲｈｅｏｓｏｌｖｅ  ６５０（Ｃｏａｔｅｘ）、Ｐｏｌｙｇｅｌ  Ｗ３０（３Ｖ  Ｓｉｇｍａ）、Ｃａｐｉｇｅｌ９８（ＳＥＰＰＩＣ）、Ｊａｙｐｏｌ  ＡＴ４（Ａｓｈｌａｎｄ）、Ｓａｌｃａｒｅ  ＳＣ８０及びＬｕｖｉｇｅｌ  ＦＩＴ（ＢＡＳＦ）である。
【０１２５】
その他の任意成分：抗菌性硬質表面洗浄組成物は、目的とする技術的利点及び処理される表面に応じて、種々のその他の任意成分を含み得る。本明細書で用いるのに好適な任意成分としては、香料、ビルダー、その他のポリマー、緩衝剤、ヒドロトロープ、着色剤、安定剤、ラジカルスカベンジャー、研磨剤、汚れ懸濁剤、光沢剤、防塵剤、分散剤、移染阻害剤、顔料、シリコーン、及び／又は染料が挙げられる。
【０１２６】
表面の洗浄方法：
本明細書に記載される抗菌性硬質表面洗浄組成物は、セラミックタイル、エナメル、ステンレス鋼、Ｉｎｏｘ（登録商標）、Ｆｏｒｍｉｃａ（登録商標）、ビニル、無ワックスビニル、リノリウム、メラミン、ガラス、プラスチック及びプラスチック化木材、並びにこれらの組み合わせからなる群から選択される表面の洗浄に特に適している。具体的には、組成物は、表面を清潔で光沢があり、油分が付着していない状態に保ちながら、抗菌活性を低減又は除去するのに特に適している。
【０１２７】
一般的な洗浄、特に床の洗浄に関して、硬質表面を洗浄する好ましい方法は、
ａ）任意選択的に、本明細書に記載の抗菌性硬質表面洗浄組成物を希釈する工程と、
ｂ）希釈した組成物を硬質表面に塗布する工程と、を含む。
【０１２８】
本明細書に記載の抗菌性硬質表面洗浄組成物は、未希釈で使用しても、又は表面に塗布する前に水で希釈してもよい。好ましい方法では、硬質表面洗浄組成物は未希釈で塗布され、より好ましくは硬質表面洗浄組成物は硬質表面上に噴霧される。
【０１２９】
抗菌性硬質表面洗浄組成物は、例えば、濃縮された硬質表面洗浄組成物の場合、０．３体積％〜１．５体積％、又は０．４体積％〜１．３体積％の濃度に希釈されてもよい。特に、抗菌性硬質表面洗浄組成物が５重量％以上の合計界面活性剤濃度を有する場合、抗菌性硬質表面洗浄組成物を０．４体積％〜０．６体積％の濃度に希釈してもよい。抗菌性硬質表面洗浄組成物が５重量％未満の合計界面活性剤濃度を有する場合、抗菌性硬質表面洗浄組成物を０．７体積％〜１．４体積％の濃度に希釈してもよい。好ましい実施形態では、抗菌性硬質表面洗浄組成物を水で希釈する。
【０１３０】
希釈濃度は、希釈した組成物の合計量に対する、抗菌性硬質表面洗浄組成物部分として定義される体積％として表される。例えば、５体積％の希釈濃度は、抗菌性硬質表面洗浄組成物５０ｍＬが希釈組成物１０００ｍＬを形成するよう希釈されることに等しい。
【０１３１】
希釈組成物は、モップ、スポンジ、又はその他の好適な用具を使用することを含む任意の好適な手段により塗布することができる。
【０１３２】
硬質表面を、任意の更なる工程で、好ましくは清潔な水で洗い流してもよく、また更なる工程として、布などで拭き取ることができる。
【０１３３】
あるいは及びとりわけ、特に汚れた又は油っぽい箇所に関しては、抗菌性硬質表面洗浄組成物を硬質表面に未希釈のまま塗布してもよい。「未希釈」とは、液体組成物が何らかの著しい希釈を受けることなく、処理される表面に直接塗布されること、すなわち、組成物を最初に希釈することなく、直接又はスポンジ若しくはクリーニングクロス若しくはペーパータオルなどの用具を用いて、本明細書の液体組成物が本明細書に記載されるように硬質表面に塗布されることと理解されるべきである。「著しい希釈」とは、組成物が、組成物の１０重量％未満、好ましくは５重量％未満、より好ましくは３重量％未満まで希釈されることを意味する。このような希釈は、例えば「絞って」乾燥させたスポンジなどの水気のある用具を使用して、組成物を硬質表面に塗布することにより行うことができる。
【０１３４】
本発明の別の好ましい実施形態では、硬質表面を洗浄する当該方法は、当該硬質表面上に当該液体組成物を塗布する、好ましくは噴霧する工程と、当該液体組成物を所定時間にわたって当該表面に作用するように残し、機械的動作を作用させて又は作用させることなく当該組成物を作用させる工程と、任意に当該液体組成物を除去する、好ましくは、当該硬質表面を水で洗い流す、及び／又は当該硬質表面を、例えばスポンジ、紙、又は布タオルなどの適切な器具で拭くことによって当該液体組成物を除去する工程と、を含む。このような組成物は、多くの場合、「即時使用可能な」組成物と呼ばれる。好ましい方法では、抗菌性硬質表面洗浄組成物の塗布後に硬質表面を洗い流さない。
【０１３５】
式Ｉのアミンから選択されるアミン界面活性剤を組み込むことにより、界面活性剤系が変化し、より多くの抗菌剤が、界面活性剤系のミセル構造に組み込まれるのではなく、遊離したモノマー形態で利用可能となると考えられる。その結果、抗菌性組成物中の抗菌剤の抗菌効果が改善される。実際、本発明の抗菌性硬質表面洗浄組成物は、グラム陰性細菌に対しても、６．０〜１０、好ましくは７．０〜９．０、より好ましくは７．０〜８．０などのより中性のｐＨにおいてさえ、改善された抗菌効果を示すことが見出された。したがって、このような組成物は、硬質表面の抗菌処理に特に好適である。
【０１３６】
方法：
Ａ）ｐＨ測定：
ｐＨを、取扱説明書に従って較正された親和性（compatible）ゲル充填ｐＨプローブ（例えば、Ｔｏｌｅｄｏプローブ部品番号５２  ０００  １００を備えるＳａｒｔａｒｉｕｓ  ＰＴ−１０Ｐメータなどの）ｐＨメータを用いて、２５℃で、未希釈組成物に対して測定する。
【０１３７】
Ｂ）未希釈光沢試験：
光沢試験を、清浄な黒色光沢セラミックタイル（２０ｃｍ×３０ｃｍ）の表面上に、０．５ｍＬの即時使用可能な抗菌性組成物を斜めに塗布することによって実施する。製品を塗布した直後に、二重に折り畳んだ湿った綿布（８ｃｍ×１０ｃｍを４分の１に折り畳んだもの）で、タイル全体を覆うＭパターンを描くように軽く拭くことにより、製品をタイルの表面全体に広げる。布を持ち上げずに、拭き取りを別の方向にタイル全体に均等に行き渡るように繰り返す（水平方向に前後に８回、垂直方向に上下に１０回、水平方向に前後に８回）。タイルを乾燥させた後、以下に記載の等級評価尺度を使用して結果を分析する。
【０１３８】
絶対尺度での等級付け：
０＝新品同様／筋及び／又は曇りなし
１＝ごく僅かな筋及び／又は曇り
２＝僅かな筋及び／又は曇り
３＝僅かから中程度の筋及び／又は曇り
４＝中程度の筋及び／又は曇り
５＝中程度／ひどい筋及び／又は曇り
６＝ひどい筋及び／又は曇り
各タイルを、少なくとも１０名のパネリストによって評価する。
【０１３９】
Ｃ）抗菌効果（懸濁液中の最小殺菌濃度）：
組成物中の抗菌剤の抗菌効果を、その最小殺菌濃度（ＭＢＣ）を測定することによって求める。ＭＢＣは、完全な殺菌（細菌増殖がゼロ）をもたらす特定の抗菌活性物質の最低絶対濃度として定義される。本明細書の組成物のＭＢＣを、細菌、黄色ブドウ球菌（Ｓ．ａｕｒｅｕｓ−ＡＴＣＣ＃６５３８）、グラム陽性細菌及び緑膿菌（Ｐ．ａｅｒｕｇｉｎｏｓａ−ＡＴＣＣ＃９０２７）、グラム陰性細菌に対して求める。これらの微生物は、多くの消費者向けの及び産業上の用途における天然汚染物質を代表する。いくつかのコロニーをトリプトン大豆寒天（ＴＳＡ）プレートから生理食塩水溶液（０．８５％  ＮａＣｌ）に移すことによって細菌接種材料を調製し、この生理食塩水溶液中の細菌濃度を、４２５ｎｍでの％透過率を測定することによって求め、４２５ｎｍでの％透過率が細菌濃度１０８ＣＦＵ／ｍｌに対応する２３％〜２５％になるまで、より多くの細菌又はより多くの生理食塩水溶液を添加することによって調整する。
【０１４０】
最小殺菌濃度（ＭＢＣ）に応じて、抗菌剤を硬質表面洗浄組成物に１０００ｐｐｍ、又は６００ｐｐｍ、又は１５０ｐｐｍの濃度で添加した。２００μＬの抗菌性硬質表面洗浄組成物を、９６ウェルマイクロタイタープレートの行Ａの一ウェルに注入した。それぞれの後続のウェル（行Ｂ〜Ｇ）に、抗菌剤を添加せずに、１００μＬの同じ硬質表面洗浄組成物を注入した。１００μＬの抗菌性硬質表面洗浄組成物を、行Ａから行Ｂに移し、混合した。次に、１００μＬの組成物を行Ｂから行Ｃに移して混合し、このプロセスを行Ｇまで繰り返した。このように、抗菌剤の濃度は、隣り合うウェルごとに２倍に希釈され、一方、硬質表面洗浄組成物中の他の活性物質の濃度は、同じカラム中の全てのウェルにわたって一定であった。
【０１４１】
１０８ＣＦＵ／ｍｌ細菌の生理食塩水懸濁液１０μＬを、マイクロタイタープレートのウェルＡ〜Ｆに添加し、行Ｇを無細菌対照のままとした。各ウェル中の最終体積は、１００μＬの硬質表面洗浄組成物を含み、細菌懸濁液を含まない行Ｇを除いて、１１０μＬである。各カラムへの細菌接種を３０秒間ずつずらして、全てのカラムでインキュベーション時間を等しくし、全ての試料の細菌と抗菌活性物質との接触時間が６分となるようにした。この接触時間の後、各試験溶液１０μＬを９０μＬの中和溶液（ＢｉｏＭｅｒｉｅｕｘから販売されているＭｏｄｉｆｉｅｄ  Ｌｅｔｈｅｅｎ  Ｂｒｏｔｈ＋１．５％のＰｏｌｙｓｏｒｂａｔｅ  ８０）に移し、抗菌活性物質の抗菌作用を停止させた。この溶液２μＬを、全ての試料が中和剤に同じ時間の間曝露されるように、ＴＳＡプレート上に接種のずれに合わせてプレーティングした。プレートを、Ｓ．ａｕｒｅｕｓについては４８時間、Ｐ．ａｅｒｕｇｉｎｏｓａについては２４時間、３２．５℃でインキュベートした。これは、後者が要するインキュベーション時間がより短いためである。ＭＢＣ濃度を、ＴＳＡプレート上で目に見えるコロニー成長が観察されない抗菌活性物質の最低濃度として採用する。
【実施例】
【０１４２】
（実施例１）
以下の組成物を調製し、黄色ブドウ球菌（グラム陽性細菌）に対するジデシルジメチルアンモニウムクロリド（Ｂａｒｄａｃ  ２２５０、Ｌｏｎｚａ提供）の最小殺菌濃度を各組成物について評価した。実施例Ａ〜Ｃは比較例で、式Ｉのアミンを含まない。実施例１〜５は、式Ｉのアミンを含む本発明の組成物である。
【０１４３】
【表１】
2020531611.tif 000007
＊比較例
１  Ｓｏｌｖａｙ  Ｎｏｖｅｃａｒｅが提供するラウリラミドプロピルベタイン（Ｍａｃｋａｍ（登録商標）ＤＡＢ）
２  Ｒ１がＣＨ２（ＣＨＯＨ）４  ＣＨ２ＯＨであり、Ｒ２がメチルであり、Ｒ３が２−プロピルヘプチルである、式Ｉのアミン；式Ｉのアミンを、２−プロピルヘプチル由来アルキルグリチルエーテル（２−（（２−プロピルヘプチル）オキシ）オキシラン）をＮ−メチルグルカミンと反応させることによって作製した。２−プロピルヘプチル由来アルキルグリチルエーテルを、６０℃の塩化第二スズ触媒の存在下で、エピクロロヒドリンを２−プロピルヘプチルアルコールに添加して、粗エーテルを生成することによって作製する。水及び腐食剤を加えて、最終エーテルを生成する。次いで、２−プロピルヘプチル由来アルキルグリチルエーテルを、上層をデカントすることによって精製し、窒素下で乾燥させ、濾過する。Ｎ−メチルグルカミンを撹拌下でメタノールに添加して懸濁液を形成し、この懸濁液に２−プロピルヘプチル由来アルキルグリチルエーテルを添加し、混合物を５５℃で６時間〜２４時間撹拌する。次いで、メタノールを蒸発させて、式Ｉ（６−（（２−ヒドロキシ−３−（（２−プロピルヘプチル）オキシ）プロピル）（メチル）アミノ）ヘキサン−１，２，３，４，５−ペンタノール）のアミンを得る。
３  Ｒ１がＣＨ２（ＣＨＯＨ）４  ＣＨ２ＯＨであり、Ｒ２がメチルであり、Ｒ３がｎ−デシルである、式Ｉのアミン；２−プロピルヘプチルの代わりにｎ−デシルアルコールを使用したこと以外は、上記と同様にしてアミンを作製した。
【０１４４】
黄色ブドウ球菌に対するジデシルジメチルアンモニウムクロリド（Ｂａｒｄａｃ  ２２５０，Ｌｏｎｚａ）の求められた最小殺菌濃度を以下に示す：
【０１４５】
【表２】
2020531611.tif 000008
【０１４６】
比較例Ｂに対する実施例１のＢａｒｄａｃ  ２２５０の最小殺菌濃度の比較から分かるように、式Ｉのアミンを含む組成物は、ベタイン界面活性剤を含む組成物と比較して、グラム陽性細菌に対する改善された抗菌効果を提供する。比較例Ａに対する実施例３のＢａｒｄａｃ  ２２５０の最小殺菌濃度の比較から分かるように、式Ｉのアミンを含む組成物は、アミンオキシド界面活性剤を含む組成物と比較して、グラム陽性細菌に対する改善された抗菌効果を提供する。
【０１４７】
比較例Ｃに対する実施例４のＢａｒｄａｃ  ２２５０の最小殺菌濃度の比較から分かるように、式Ｉのアミンを含む組成物は、グルカミド界面活性剤を含む組成物と比較して、改善された抗菌効果を提供する。
【０１４８】
（実施例２）
以下の組成物を調製し、緑膿菌（グラム陰性細菌）に対するジデシルジメチルアンモニウムクロリド（Ｂａｒｄａｃ  ２２５０、Ｌｏｎｚａ提供）の最小殺菌濃度を、各組成物について評価した。比較例Ｄは、式Ｉのアミンを含まない。実施例６及び７は、式Ｉのアミンを含む本発明の組成物である。
【０１４９】
【表３】
2020531611.tif 000009
＊比較例
２  Ｒ１がＣＨ２（ＣＨＯＨ）４  ＣＨ２ＯＨであり、Ｒ２がメチルであり、Ｒ３が２−プロピルヘプチルである、式Ｉのアミン
３  Ｒ１がＣＨ２（ＣＨＯＨ）４  ＣＨ２ＯＨであり、Ｒ２がメチルであり、Ｒ３がｎ−デシルである、式Ｉのアミン
【０１５０】
緑膿菌に対するジデシルジメチルアンモニウムクロリド（Ｂａｒｄａｃ  ２２５０，Ｌｏｎｚａ）の得られた最小殺菌濃度を以下に示す。
【０１５１】
【表４】
2020531611.tif 000010
【０１５２】
比較例Ｄに対する実施例６及び７の最小殺菌濃度の比較から分かるように、式Ｉのアミンを含む組成物は、中性ｐＨのＣ１２〜Ｃ１４アミンオキシド界面活性剤を含む組成物と比較して、グラム陰性細菌に対する改善された抗菌効果を提供する。
【０１５３】
（実施例３）
以下の組成物を調製し、未希釈光沢試験法によって評価した。比較例Ｆは、比較例Ｂに基づいており、実施例Ｂの組成物中の黄色ブドウ球菌に対する最小殺菌濃度の３倍のジデシルジメチルアンモニウムクロリド濃度を有する。比較例Ｇは、比較例Ｂに基づいており、実施例Ｂの組成物における黄色ブドウ球菌に対する最小殺菌濃度に等しいジデシルジメチルアンモニウムクロリド濃度を有する。比較例Ｈは、比較例Ｃに基づいており、実施例Ｃの黄色ブドウ球菌に対する最小殺菌濃度の５倍のジデシルジメチルアンモニウムクロリド濃度を有する。実施例８は、実施例１に基づいており、黄色ブドウ球菌に対するジデシルジメチルアンモニウムクロリド濃度は、比較例Ｇにおける場合と同じである。実施例９は、実施例１に基づいており、黄色ブドウ球菌に対するジデシルジメチルアンモニウムクロリド濃度は、実施例１の最小殺菌濃度のジデシルジメチルアンモニウムクロリド濃度の５倍である。実施例１０は、実施例４に基づいており、黄色ブドウ球菌に対するジデシルジメチルアンモニウムクロリド濃度は、実施例４のジデシルジメチルアンモニウムクロリド濃度の５倍である。
【０１５４】
【表５】
2020531611.tif 000011
＊比較例
１  Ｓｏｌｖａｙ  Ｎｏｖｅｃａｒｅが提供するラウリラミドプロピルベタイン（Ｍａｃｋａｍ（登録商標）ＤＡＢ）
２  Ｒ１がＣＨ２（ＣＨＯＨ）４  ＣＨ２ＯＨであり、Ｒ２がメチルであり、Ｒ３が２−プロピルヘプチルである、式Ｉのアミン
３  Ｒ１がＣＨ２（ＣＨＯＨ）４  ＣＨ２ＯＨであり、Ｒ２がメチルであり、Ｒ３がｎ−デシルである、式Ｉのアミン
【０１５５】
比較例Ｆ及び比較例Ｇの結果と比較した実施例８及び実施例９の未希釈光沢等級から分かるように、式Ｉのアミン界面活性剤を含む組成物で処理した表面は、組成物が同じ濃度の抗菌剤を含有したか否か（比較例Ｇと比較した実施例８）、又は組成物が同様の抗菌効果を提供したか否か（比較例Ｆ及び比較例Ｇと比較した実施例９、前述の表中の最小殺菌濃度を参照）にかかわらず、ラウラミドプロピルベタインを含む組成物よりも改善された光沢特性を示す。
【０１５６】
比較例Ｈの結果と比較した実施例１０の未希釈光沢等級から分かるように、式Ｉのアミン界面活性剤を含む組成物で処理した表面は、望ましい抗菌有効性を超える抗菌効果（前述の表中の最小殺菌濃度を参照）を提供しながら、Ｃ１０  Ｎ−メチルグルカミドを含む組成物よりも改善された光沢特性を示す。
【０１５７】
以下は、未希釈形態及び希釈形態の両方で硬質表面に塗布することができる、本発明の例示的な式である。
【０１５８】
【表６】
2020531611.tif 000012
【０１５９】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【国際調査報告】
2020531611.tif 000013
2020531611.tif 000014
2020531611.tif 000015